(57)【要約】【課題】ユーザーの要望に応じて被処理水にミネラル成分を添加して、軟水から硬水に至る様々なミネラル成分の水を供給することができる水供給装置を提供する。更に、被処理水として使用する水の種類や使用状況、目的に応じて、当該被処理水に対して行う処理機能を選択して、最適な処理を行うことができる水供給装置を提供する。【解決手段】本発明の水供給装置Ｓは、一種以上のミネラル成分を有して被処理水に当該ミネラル成分を添加するミネラル添加処理手段７と、一種以上のミネラル水のミネラル成分に関するデータを有し、選択されたミネラル水に応じてミネラル添加処理手段によるミネラル成分の添加を制御する制御手段とを備える。【選択図】図１
2008086989.tif 000002
【特許請求の範囲】
【請求項１】
被処理水にミネラル成分を添加して供給する水供給装置であって、
一種以上のミネラル成分を有して前記被処理水に当該ミネラル成分を添加するミネラル添加処理手段と、
一種以上のミネラル水のミネラル成分に関するデータを有し、選択された前記ミネラル水に応じて前記ミネラル添加処理手段によるミネラル成分の添加を制御する制御手段とを備えたことを特徴とする水供給装置。
【請求項２】
前記制御手段は前記ミネラル添加処理手段により、前記ミネラル成分の添加に伴う沈殿の発生を回避可能な所定の順序、及び／又は、箇所にて前記ミネラル成分の添加を行うことを特徴とする請求項１に記載の水供給装置。
【請求項３】
前記制御手段は、前記被処理水の導電率に基づいて前記ミネラル添加処理手段によるミネラル成分の添加を制御することを特徴とする請求項１又は請求項２に記載の水供給装置。
【請求項４】
前記ミネラル添加処理手段の前段において、前記被処理水に含有される無機物を除去処理する無機物除去処理手段と前記被処理水に含有される有機物を除去処理する有機物除去処理手段とを備えたことを特徴とする請求項１乃至請求項３の何れかに記載の水供給装置。
【請求項５】
前記制御手段は、前記ミネラル添加処理手段、又は、前記無機物除去処理手段、又は、前記有機物除去処理手段が前記被処理水に対して処理機能を奏するか否かをそれぞれ選択する選択手段を備えることを特徴とする請求項４に記載の水供給装置。
【請求項６】
前記被処理水が前記無機物除去処理手段、前記有機物除去処理手段及び前記ミネラル添加処理手段を順次流れる構成とすると共に、
前記選択手段は、前記各処理手段をそれぞれバイパスして前記被処理水を流すバイパス回路と、前記被処理水を前記処理手段に流すか前記バイパス回路に流すかをそれぞれ制御する流路制御手段とを備えることを特徴とする請求項５に記載の水供給装置。
【請求項７】
前記無機物除去処理手段は、前記被処理水に含有される陽イオン、及び／又は、スケール成分を除去処理する手段から構成されると共に、
前記有機物除去処理手段は、前記被処理水を殺菌、若しくは、除菌処理する手段から構成されることを特徴とする請求項４乃至請求項６の何れかに記載の水供給装置。
【請求項８】
前記無機物除去処理手段は、炭素繊維を用いて電解する手段、吸着剤、逆浸透膜を用いる手段のうちの何れか一つ、若しくは、全てから構成されると共に、
前記有機物除去処理手段は、炭素繊維を用いて前記有機物を吸着除去する手段、濾過膜を用いる手段のうちの何れか一つ、若しくは、双方から構成されることを特徴とする請求項７に記載の水供給装置。
【請求項９】
前記被処理水に対して前記無機物除去処理手段及び前記ミネラル添加処理手段を機能させない状態で、前記有機物除去処理手段の前記炭素繊維を用いて前記有機物を吸着除去する手段、又は、前記濾過膜を用いる手段の何れか一方を択一的に機能させる処理モードを有することを特徴とする請求項８に記載の水供給装置。
【請求項１０】
前記被処理水に対して前記有機物除去処理手段を機能させずに前記無機物除去処理手段及び前記ミネラル添加処理手段を機能させる処理モードを有することを特徴とする請求項４乃至請求項９の何れかに記載の水供給装置。
【請求項１１】
何れか若しくは全ての前記処理手段が処理機能を奏し、又は、全ての前記処理手段が処理機能を奏すること無く得られた前記被処理水を貯留する貯留手段と、該貯留手段に貯留された前記被処理水を、当該貯留手段と前記有機物除去処理手段との間で循環させるための循環回路とを備えたことを特徴とする請求項４乃至請求項１０の何れかに記載の水供給装置。
【請求項１２】
前記貯留手段は、前記無機物除去処理手段及び有機物除去処理手段と、前記ミネラル添加処理手段との間に介設されていることを特徴とする請求項１１に記載の水供給装置。
【請求項１３】
前記循環回路に前記被処理水を流すと共に、前記有機物除去処理手段の前記炭素繊維を用いて前記有機物を吸着除去する手段、又は、前記濾過膜を用いる手段の何れか一方を択一的に機能させる処理モードを有することを特徴とする請求項１１又は請求項１２に記載の水供給装置。
【請求項１４】
空気中に含まれる水分を回収する水分回収手段を備え、該水分回収手段にて回収された水を前記被処理水とすることを特徴とする請求項１乃至請求項１３の何れかに記載の水供給装置。
【請求項１５】
前記水分回収手段は、圧縮機、放熱器、減圧装置及び蒸発器から構成される冷凍サイクルの前記蒸発器、又は、水分を吸着し且つ放出可能な吸湿剤により構成されることを特徴とする請求項１４に記載の水供給装置。
【請求項１６】
水を凍結させる氷生成手段を備え、該氷生成手段にて生成された氷を融解して得られる水を前記被処理水とすることを特徴とする請求項１乃至請求項１４の何れかに記載の水供給装置。
【発明の詳細な説明】
【技術分野】
【０００１】
本発明は、被処理水にミネラル成分を添加して供給する水供給装置に関するものである。
【背景技術】
【０００２】
従来より、水道水から飲料としての風味を損ねる陽イオン（特に、金属イオン）を含む無機物を除去する装置やカルシウム、カリウム、マグネシウムといったミネラル成分を添加して美味しい水を作り出す装置が開発されている（例えば、特許文献１参照）。
【特許文献１】特開２００６−９５５１０号公報
【発明の開示】
【発明が解決しようとする課題】
【０００３】
ところで、近年、水への意識や関心がより一層高まり、美味く安全な水であることは勿論、異なるミネラル成分の水を選び分ける傾向にあるが、複数種類のミネラル成分の水を作り出して、供給できる装置は従来存在していなかった。
【０００４】
更に、従来の水供給装置で被処理水として使用される水は一般的に水道水が対象とされており、この水道水は既に殺菌処理されているので、有機物処理する必要がなく、風味を損ねる陽イオン（特に、金属イオン）を含む全ての無機物を水道水から一端除去した後、ミネラル添加処理手段にて水の旨味成分となるマグネシウム、カルシウム、カリウム、ナトリウム、シリカ等のミネラル成分のみを添加ことで、水道水を安全で美味しい水とすることができる。
【０００５】
しかしながら、水道水以外の水を被処理水として使用する場合、例えば、湧水や井戸水等の天然水を被処理水として用いる場合、当該湧水や井戸水自体に固有の旨味成分が含まれているので、その旨味成分を取り除くことなく、当該水中に含まれる細菌などの有機物を除去処理することが望ましい。更に、砂漠地帯や災害発生地など水を確保することが困難な地域や状況下において、空気中から回収された水分を被処理水として用いた場合であっても飲料可能な水を供給できることが望まれていた。更にまた、災害地等で水の美味しさに拘わらず、最小限の処理で飲用可能な水を供給できる装置も求められていた。
【０００６】
そこで、本発明は係る従来の技術的課題を解決するために成されたものであり、ユーザーの要望に応じて被処理水にミネラル成分を添加して、様々なミネラル成分の水を供給することができる水供給装置を提供することを目的とする。
【０００７】
更に、被処理水として使用する水の種類や使用状況、目的に応じて、当該被処理水に対して行う処理機能を選択して、最適な処理を行うことができる水供給装置を提供することをもう一つの目的とする。
【課題を解決するための手段】
【０００８】
即ち、本発明の水供給装置は、被処理水にミネラル成分を添加して供給するものであって、一種以上のミネラル成分を有して被処理水に当該ミネラル成分を添加するミネラル添加処理手段と、一種以上のミネラル水のミネラル成分に関するデータを有し、選択されたミネラル水に応じてミネラル添加処理手段によるミネラル成分の添加を制御する制御手段とを備えたことを特徴とする。
【０００９】
請求項２の発明の水供給装置は、上記発明において制御手段はミネラル添加処理手段により、ミネラル成分の添加に伴う沈殿の発生を回避可能な所定の順序、及び／又は、箇所にてミネラル成分の添加を行うことを特徴とする。
【００１０】
請求項３の発明の水供給装置は、上記各発明において制御手段は、被処理水の導電率に基づいてミネラル添加処理手段によるミネラル成分の添加を制御することを特徴とする。
【００１１】
請求項４の発明の水供給装置は、請求項１乃至請求項３の何れかに記載の発明においてミネラル添加処理手段の前段において、被処理水に含有される無機物を除去処理する無機物除去処理手段と被処理水に含有される有機物を除去処理する有機物除去処理手段とを備えたことを特徴とする。
【００１２】
請求項５の発明の水供給装置は、請求項４に記載の発明において制御手段は、ミネラル添加処理手段、又は、無機物除去処理手段、又は、有機物除去処理手段が被処理水に対して処理機能を奏するか否かをそれぞれ選択する選択手段を備えることを特徴とする。
【００１３】
請求項６の発明の水供給装置は、請求項５に記載の発明において被処理水が無機物除去処理手段、有機物除去処理手段及びミネラル添加処理手段を順次流れる構成とすると共に、選択手段は、各処理手段をそれぞれバイパスして被処理水を流すバイパス回路と、被処理水を処理手段に流すかバイパス回路に流すかをそれぞれ制御する流路制御手段とを備えることを特徴とする。
【００１４】
請求項７の発明の水供給装置は、請求項４乃至請求項６の何れかに記載の発明において無機物除去処理手段は、被処理水に含有される陽イオン、及び／又は、スケール成分を除去処理する手段から構成されると共に、有機物除去処理手段は、被処理水を殺菌、若しくは、除菌処理する手段から構成されることを特徴とする。
【００１５】
請求項８の発明の水供給装置は、請求項７に記載の発明において無機物除去処理手段は、炭素繊維を用いて電解する手段、吸着剤、逆浸透膜を用いる手段のうちの何れか一つ、若しくは、全てから構成されると共に、有機物除去処理手段は、炭素繊維を用いて有機物を吸着除去する手段、濾過膜を用いる手段のうちの何れか一つ、若しくは、双方から構成されることを特徴とする。
【００１６】
請求項９の発明の水供給装置は、請求項８に記載の発明において被処理水に対して無機物除去処理手段及びミネラル添加処理手段を機能させない状態で、有機物除去処理手段の炭素繊維を用いて有機物を吸着除去する手段、又は、濾過膜を用いる手段の何れか一方を択一的に機能させる処理モードを有することを特徴とする。
【００１７】
請求項１０の発明の水供給装置は、請求項４乃至請求項９の何れかに記載の発明において被処理水に対して有機物除去処理手段を機能させずに無機物除去処理手段及びミネラル添加処理手段を機能させる処理モードを有することを特徴とする。
【００１８】
請求項１１の発明の水供給装置は、請求項４乃至請求項１０の何れかに記載の発明において何れか若しくは全ての処理手段が処理機能を奏し、又は、全ての処理手段が処理機能を奏すること無く得られた被処理水を貯留する貯留手段と、この貯留手段に貯留された被処理水を、当該貯留手段と有機物除去処理手段との間で循環させるための循環回路とを備えたことを特徴とする。
【００１９】
請求項１２の発明の水供給装置は、請求項１１に記載の発明において貯留手段は、無機物除去処理手段及び有機物除去処理手段と、ミネラル添加処理手段との間に介設されていることを特徴とする。
【００２０】
請求項１３の発明の水供給装置は、請求項１１又は請求項１２に記載の発明において循環回路に被処理水を流すと共に、有機物除去処理手段の炭素繊維を用いて有機物を吸着除去する手段、又は、濾過膜を用いる手段の何れか一方を択一的に機能させる処理モードを有することを特徴とする。
【００２１】
請求項１４の発明の水供給装置は、請求項１乃至請求項１３の何れかに記載の発明において空気中に含まれる水分を回収する水分回収手段を備え、この水分回収手段にて回収された水を被処理水とすることを特徴とする。
【００２２】
請求項１５の発明の水供給装置は、請求項１４に記載の発明において水分回収手段は、圧縮機、放熱器、減圧装置及び蒸発器から構成される冷凍サイクルの蒸発器、又は、水分を吸着し且つ放出可能な吸湿剤により構成されることを特徴とする。
【００２３】
請求項１６の発明の水供給装置は、請求項１乃至請求項１４の何れかに記載の発明において水を凍結させる氷生成手段を備え、この氷生成手段にて生成された氷を融解して得られる水を被処理水とすることを特徴とする。
【発明の効果】
【００２４】
本発明によれば、被処理水にミネラル成分を添加して供給する水供給装置において、一種以上のミネラル成分を有して被処理水に当該ミネラル成分を添加するミネラル添加処理手段と、一種以上のミネラル水のミネラル成分に関するデータを有し、選択されたミネラル水に応じてミネラル添加処理手段によるミネラル成分の添加を制御する制御手段とを備えたので、被処理水に添加するミネラル成分の添加量を選択して、ユーザーの要望に応じたミネラル成分を含む水を作り、供給することができるようになる。
【００２５】
特に、請求項２の発明の如く制御手段はミネラル添加処理手段により、ミネラル成分の添加に伴う沈殿の発生を回避可能な所定の順序、及び／又は、箇所にてミネラル成分の添加を行うことで、ミネラル成分の添加により沈殿が生成する不都合を防ぐことができる。
【００２６】
また、請求項３の発明では、制御手段は被処理水の導電率に基づいてミネラル添加処理手段によるミネラル成分の添加を制御するので、被処理水の導電率が予め設定された所定の導電率となるようにミネラル成分を添加することで、ミネラル成分の添加量を容易に管理し、所望の量のミネラル成分を被処理水に確実に添加することができる。
【００２７】
更に、請求項４の発明では、上記各発明においてミネラル添加処理手段の前段において、被処理水に含有される無機物を除去処理する無機物除去処理手段と被処理水に含有される有機物を除去処理する有機物除去処理手段とを備えたので、無機物除去処理手段にて被処理水に含有される塵埃や陽イオン、及び／又は、スケール成分などの無機物を除去し、有機物除去処理手段にて被処理水に含有される細菌などの有機物を除去することができる。
【００２８】
特に、請求項４に記載の発明において、請求項５の如くミネラル添加処理手段、又は、無機物除去処理手段、又は、有機物除去処理手段が被処理水に対して処理機能を奏するか否かをそれぞれ選択する選択手段を備えるものとすれば、選択手段により被処理水に対して行う処理機能を選択することができるようになる。
【００２９】
また、請求項６の発明の如く被処理水が無機物除去処理手段、有機物除去処理手段及びミネラル添加処理手段を順次流れる構成とすれば、有機物除去処理手段では、無機物除去処理手段にて無機物が除去処理された被処理水を処理することとなるので、当該有機物除去処理手段における有機物の除去処理を円滑に行うことができるようになる。更に、無機物除去処理手段にて無機物を除去し、有機物除去処理手段にて有機物を除去処理した後にミネラル添加処理手段にてミネラル成分を添加することができるようになり、人体に有害となる金属イオンなどの陽イオンや細菌を確実に除去した上で必要なミネラル成分のみを添加できるようになる。これにより、飲用に適した美味しく、且つ、安全な水を製造することができるようになる。
【００３０】
更にまた、選択手段は、各処理手段をそれぞれバイパスして被処理水を流すバイパス回路と、被処理水を処理手段に流すかバイパス回路に流すかをそれぞれ制御する流路制御手段とを備えるものとすれば、流路制御手段により被処理水を処理手段に流すかバイパス回路に流すかをそれぞれ制御することで、容易に処理機能を選択することができる。
【００３１】
請求項７の発明では、請求項４乃至請求項６の何れかに記載の発明において無機物除去処理手段は、被処理水に含有される陽イオン、及び／又は、スケール成分を除去処理する手段から構成されると共に、有機物除去処理手段は、被処理水を殺菌、若しくは、除菌処理する手段から構成されるので、例えば、請求項８の如く無機物除去処理手段は、炭素繊維を用いて電解する手段、吸着剤、逆浸透膜を用いる手段のうちの何れか一つ、若しくは、全てから構成されると共に、有機物除去処理手段は、炭素繊維を用いて有機物を吸着除去する手段、濾過膜を用いる手段のうちの何れか一つ、若しくは、双方から構成すれば、無機物除去処理手段にて被処理水に含有される陽イオン、及び／又は、スケール成分などの無機物を除去処理し、有機物除去処理手段にて被処理水を殺菌、若しくは、除菌処理することができる。これにより、飲用可能な水を造ることができるようになる。
【００３２】
特に、請求項９の発明によれば、被処理水に対して無機物除去処理手段及びミネラル添加処理手段を機能させない状態で、有機物除去処理手段の炭素繊維を用いて有機物を吸着除去する手段、又は、濾過膜を用いる手段の何れか一方を択一的に機能させる処理モードを有するので、被処理水に対して有機物除去処理機能のみを奏することができる。これにより、早急に飲用可能な水を確保することが要求される緊急時、或いは、被処理水として湧水や井戸水などの天然水を用いる場合等に、被処理水に対して有機物除去処理手段のみを機能させることができる。
【００３３】
特に、湧水や井戸水等の天然水を被処理水として用いる場合には、炭素繊維を用いて有機物を吸着除去する手段、濾過膜を用いる手段のうちの何れか一つ、若しくは、双方から構成された有機物除去処理手段のみを機能させる処理モードを選択することで、天然水自体が持つ特有の風味等を維持して安全な水を造ることができるようになる。
【００３４】
また、請求項１０の発明では、請求項４乃至請求項９の何れかに記載の発明において被処理水に対して有機物除去処理手段を機能させずに無機物除去処理手段及びミネラル添加処理手段を機能させる処理モードを有するので、例えば、水道水のように既に有機物除菌処理された水を被処理水として用いる場合に、無機物除去処理手段にて無機物を水道水から一旦除去した後、ミネラル添加処理手段にてミネラル成分を添加するだけで、水道水を安全で美味しい水とすることができる。
【００３５】
請求項１１の発明によれば、請求項４乃至請求項１０の何れかに記載の発明において何れか若しくは全ての処理手段が処理機能を奏し、又は、全ての処理手段が処理機能を奏すること無く得られた被処理水を貯留する貯留手段と、この貯留手段に貯留された被処理水を、当該貯留手段と有機物除去処理手段との間で循環させるための循環回路とを備えたので、例えば、請求項１３の如く循環回路に被処理水を流すと共に、有機物除去処理手段の炭素繊維を用いて有機物を吸着除去する手段、又は、濾過膜を用いる手段の何れか一方を択一的に機能させる処理モードを有するものとすれば、貯留手段に貯留された被処理水を有機物除去処理手段にて処理することができる。これにより、貯留手段に貯留される被処理水の衛生及び安全性を確保することができる。
【００３６】
また、請求項１２によれば、請求項１１に記載の発明において貯留手段は、無機物除去処理手段及び有機物除去処理手段と、ミネラル添加処理手段との間に介設されているので、貯留手段にて被処理水を貯留し、供給直前に貯留手段に貯留された被処理水のうちユーザーが必要とする量だけ、ミネラル添加処理手段に流して、所望の量のミネラル成分を添加することができる。これにより、ユーザーの要望に応じた量、及び、ミネラル成分の水を供給することが可能となる。
【００３７】
請求項１４の発明によれば、請求項１乃至請求項１３の何れかに記載の発明において空気中に含まれる水分を回収する水分回収手段を備え、この水分回収手段にて回収された水を被処理水とするので、例えば、請求項１５の如く水分回収手段を、圧縮機、放熱器、減圧装置及び蒸発器から構成される冷凍サイクルの蒸発器、又は、水分を吸着し且つ放出可能な吸湿剤により構成することで、砂漠地帯或いは災害発生地などの水が得ることが困難な地域や状況下においても空気中から水分を回収し、回収した水分を飲料可能に処理することができるようになる。
【００３８】
請求項１６の発明によれば、請求項１乃至請求項１４の何れかに記載の発明において水を凍結させる氷生成手段を備え、この氷生成手段にて生成された氷を融解して得られる水を被処理水とするので、水に含有される塵埃、陽イオンやスケールなどの不純物濃度を低下させることができる。特に、無機物除去処理手段における無機物の除去処理や有機物除去処理手段における有機物の除去処理を円滑に行うことができるようになる。また、無機物除去処理手段及び有機物除去処理手段の耐久性の向上も図ることができるようになる。
【発明を実施するための最良の形態】
【００３９】
以下、図面に基づき本発明の実施の形態を詳述する。
【実施例１】
【００４０】
図１は、本発明の一実施例の水供給装置の概略構成図、図２は本発明の一実施例の水供給装置の模式図をそれぞれ示している。この水供給装置は、被処理水から陽イオンや粉塵やこれらのスケールなどの不純物である無機物や、細菌などの有機物を除去処理して飲用に適した水とし、且つ、この水に所望の量のミネラル成分を添加してミネラル水を造り、供給する装置である。本実施例の水供給装置Ｓは、空気中に含まれる水分を回収する水分回収手段１と、無機物除去処理手段２と、有機物除去処理手段３と、ミネラル添加処理手段７と、貯留タンク８等から構成されている。
【００４１】
水分回収手段１は、空気中に含まれる水分を回収するための手段である。本実施例の水分回収手段１は、水分を吸着し、且つ、放出可能な吸湿剤（水分吸着素子）１０と、図示しない送風機等を備える回転式除湿装置である。吸湿剤１０は、シリカやシリカゲル、ゼオライト等、常温（或いは、常温以下）にて水分を吸着し、加熱することにより水分を放出する性質を有する素材からなり、これを所定の厚さの円盤状に形成することで構成される。吸湿剤１０は、図示しない送風機からの通風方向と該吸湿剤１０の軸心方向とが略平行となるように配置されている。また、吸湿剤１０の周囲には図示しない空気通路が設けられ、該空気通路は通路仕切板にて第１の空気通路と第２の空気通路とに仕切られている。そして、第１に空気通路内に位置する吸湿剤１０の部分を水分吸着領域、第２の空気通路に位置する吸湿剤１０の部分を水分放出領域とされる。
【００４２】
前記送風機は、水分回収手段１外部の空気を吸湿剤１０の前記水分吸着領域に通過させた後、水分回収手段１の外部に吐出させるものである。
【００４３】
係る吸湿剤１０の一部分に着目すると、電動機により回転させることにより、上記一部分は水分吸着領域から水分放出領域に移行し、再び水分吸着領域に戻るサイクルが繰り返されるものである。尚、水分放出領域では水分吸着領域にて吸着した水分が放出される。例えば、ヒータ等により加熱された空気が図示しない送風手段により、吸着剤１０の水分放出領域を通過した後、熱交換器などの凝縮部に排出される構成とされている。この凝縮部は前記水分吸着領域にて吸着した水分を多く含む空気を冷却して凝縮させるものであり、当該凝縮部にて凝縮した水は、該凝縮部の下部（直下）に設けられた水タンク１１内に回収される。
【００４４】
以上の構成により、空気中の水分を吸湿剤１０の水分吸着領域にて吸着させ、水分放出領域にて吸湿剤１０から放出された水分を凝縮部にて凝縮させて、水タンク１１内に回収することができる。
【００４５】
尚、本実施例の水分回収手段１は、水分を吸着し、且つ、放出可能な吸湿剤（水分吸着素子）１０を備えた回転式除湿装置を用いることより空気中の水分を回収するものとしたが、水分回収手段１は上記構成に限定されるものではなく、例えば、圧縮機、放熱器、減圧装置及び蒸発器から成る冷凍サイクルの蒸発器より構成し、当該蒸発器に水分回収手段１の外部の空気から空気を送風して、係る蒸発器おける冷媒の吸熱作用により、空気中の水分を凝縮させて、回収するものとしても構わない。
【００４６】
一方、上記水タンク１１は、上述した水分回収手段１にて空気中から回収された水（凝縮水）を受けるための受部であると共に、水分回収手段１にて水分中から回収された水以外に外部から導入された水（例えば、水道水、井戸や川からの水、緊急用の水や給水タンクに貯留された水等）を水供給装置Ｓ内に一時的に貯留するための貯留部としての機能を奏する。この水タンク１１内の水（以下、被処理水と称する）は、後述する無機物除去処理手段２や有機物除去処理手段３、ミネラル添加処理手段７、或いは、貯留タンク８に供給される。
【００４７】
前記無機物除去処理手段２は、被処理水に含有される無機物を除去処理するものである。ここで、本発明に記載の無機物とは、被処理水中に含有される塵埃は勿論、陽イオン（特に、銅やアルミニウムなどの金属イオン）、及び、これらがスケールとして析出したもの（スケール成分）、更には、被処理水として水分回収手段１にて回収された水を用いる場合には、当該水分回収手段１０の除湿剤１０を通過する過程で混入した吸湿剤１０の構成物質、例えば、吸湿剤１０をゼオライトにて構成する場合には係るゼオライトの微粉末、或いは、水分回収手段１を冷凍サイクルの蒸発器により構成した場合には、蒸発器を構成する金属（蒸発器にて当該蒸発器を構成する金属が被処理水中に溶け込むことがある）等の不純物のことである。
【００４８】
当該無機物除去処理手段２は、炭素繊維（ＣＦ）を用いて無機物を除去処理する手段、吸着剤を用いて無機物を除去処理する手段、逆浸透膜を用いて無機物を除去処理する手段のうちの何れか一つ、若しくは、全ての手段から構成される。上記炭素繊維を用いた手段は、被処理水を貯留する水槽と、炭素繊維から成る電極を備え、被処理水の貯留された水槽内に上記電極を浸漬して、当該電極に電位を印加することで、被処理水中の無機物を電極に積極的に吸着させるものである。
【００４９】
上記吸着剤を用いた手段は、少なくとも無機物を吸着する素材を備え、被処理水を当該吸着剤に接触させることで、被処理水中の無機物を吸着させて被処理水から除去処理するものである。また、上記逆浸透膜を用いた手段は、被処理水を貯留する水槽と逆浸透膜などから成るものである。具体的には、例えば、前後面を形成する膜体と、この膜体の周囲を囲繞する枠体と、この枠体にて囲繞されることにより、両膜体間に形成される空間内に開口する集水出口とから構成される。膜体は所定の径以下の微孔が形成された逆浸透膜であり、被処理水中に含有される無機物を通さずに、水飲みを透過可能とする。これにより、浸透圧より高い圧力を加えることで、被処理水中の無機物が膜体により分離され、水のみを膜体内を透過させ、膜体内にて開口する集水出口から取り出すことができるものである。
【００５０】
本実施例の無機物除去処理手段２は、炭素繊維（ＣＦ）を用いて無機物を除去処理する手段により構成されているものとする。当該炭素繊維を用いた処理は、無機物に加えて有機物も除去する機能を有する。従って、無機物除去処理手段２を炭素繊維を用いた手段にて構成することで、無機物の処理を行いながら、有機物の処理もある程度行うことが可能となり、後の有機物除去処理手段３と合わせて行うことで、より確実に有機物を除去処理することができるようになる。尚、本実施例では無機物除去処理手段２を炭素繊維を用いた手段にて構成するものとしたが、本発明はこれに限らず、吸着剤を用いて無機物を除去処理するものとしても良いし、逆浸透膜を用いて無機物を除去処理するものとしても良い。また、本発明の無機物除去処理手段は、これらの２つ以上の手段、例えば、炭素繊維を用いて電解する手段と、逆浸透膜を用いた手段の２つの手段から構成すること、或いは、これら全ての手段により構成されるものとしても差し支えない。
【００５１】
一方、前記有機物除去処理手段３は、被処理中に含有される有機物を除去処理するもの、即ち、被処理水中に含有される細菌等を殺菌処理、若しくは除菌処理するものである。当該有機物除去処理手段３は、炭素繊維を用いて有機物を除去処理する手段と、濾過膜を用いて有機物を除去処理（この場合、除菌に相当）する手段のうちの何れか一つ、若しくは、双方から構成される。
【００５２】
上記炭素繊維を用いて有機物を吸着除去する手段は、被処理水を貯留する水槽と、炭素繊維から成る電極を備え、被処理水の貯留された水槽内に上記電極を浸漬して、電気分解が生じない程度の低電流値で電極に電位を印加することで、被処理水中の有機物を炭素繊維から成る電極に積極的に吸着（除菌）させるものである。
【００５３】
また、上記濾過膜を用いた手段は、被処理水を貯える水槽と、濾過膜とを備えて、被処理水を濾過膜により濾過処理することで、被処理水中から細菌等を分離（除菌）するものである。
【００５４】
本実施例の有機物除去処理手段３は、上述した炭素繊維を用いて有機物を吸着除去する手段、或いは、濾過膜を用いた手段のうちの何れか一つの手段にて構成されているものとする。
【００５５】
他方、前記ミネラル添加処理手段７は、被処理水にマグネシウム、カルシウム、カリウム、ナトリウム、シリカ等のミネラル成分のうち、少なくとも一種類以上のミネラル成分を有して被処理水に当該ミネラル成分を添加して供給するものである。本実施例のミネラル添加処理手段７は、図１及び図３に示すように、被処理水を貯留する水タンク３０と、塩化カルシウム（ＣａＣｌ2）溶液を貯留するタンク３２と、重炭酸ナトリウム（ＮａＨＣＯ3）溶液を貯留するタンク３３と、重炭酸カリウム（ＫＨＣＯ3）溶液を貯留するタンク３４、硫化マグネシウム（ＭｇＳＯ4）溶液を貯留するタンク３５から成り、各タンク３２乃至３５と水タンク３０とがそれぞれ配管により接続されて、各配管に設けられた電磁弁３２Ｖ、３３Ｖ、３４Ｖ、３５Ｖの開閉動作により、各溶液がそれぞれ水タンク３０内に供給可能に構成されている。
【００５６】
即ち、本実施例では各ミネラル成分が各タンク３２乃至３５内に各ミネラル成分を含む溶液として貯留されており、各タンク３２乃至３５内の各溶液が水タンク３０内に供給されることで、当該水タンク３０内の被処理水に各ミネラル成分を添加可能に構成されている。具体的には、被処理水にタンク３２に貯留された塩化カルシウム溶液が水タンク３０に供給されることで、当該水タンク３０内に貯留された被処理水にカルシウム成分を添加することができる。そして、被処理水にタンク３３に貯留された重炭酸ナトリウム溶液が水タンク３０内に供給されることで、水タンク３０内の被処理水にナトリウム成分を添加することができる。
【００５７】
同様に、被処理水にタンク３４に貯留された重炭酸カリウム溶液が水タンク３０内に供給されることで、水タンク３０内の被処理水にカリウム成分を添加することができる。更に、被処理水にタンク３５に貯留された硫酸マグネシウム溶液が水タンク３０内に供給されることで、水タンク３０内の被処理水にマグネシウム成分を添加することができる。尚、実施例では電磁弁３２Ｖ、３３Ｖ、３４Ｖ、３５Ｖの開閉動作により各溶液を水タンク３０内に供給するものするが、これに限らず、それぞれ水タンク３０内に各タンク３２乃至３５内の各溶液が水頭圧、空気圧、或いはポンプにより供給可能に構成するものとしても差し支えない。
【００５８】
ところで、各ミネラル成分を被処理水に添加する場合、少なくとも被処理水に沈殿が発生することを回避する必要がある。即ち、沈殿の発生を回避できる順序や沈殿の発生を回避できる箇所から被処理水に各溶液を添加する必要がある。具体的に、本実施例では上記４種類の溶液のうち、塩化カルシウム溶液と硫酸マグネシウム溶液とが反応すると、沈殿が生じて被処理水が白濁する恐れがある。このため、少なくとも塩化カルシウム溶液と硫酸マグネシウム溶液とを添加するタイミングを出来るだけずらしたり、出来るだけ離れた箇所から水タンク３０内の被処理水に添加して、沈殿の発生を回避することが望ましい。
【００５９】
具体的に、本実施例では図１に示すように塩化カルシウム溶液が貯留されたタンク３２と硫酸マグネシウム溶液が貯留されたタンク３５とを離れた位置に配置すると共に、タンク３２とタンク３０とを接続する配管のタンク３０側の開口をタンク３０の一端側（図１及び図３では右端側）に設けると共に、タンク３５とタンク３０とを接続する配管のタンク３０側の開口をタンク３０の他端側（図１及び図３では左端側）に設けている。更に、被処理水に添加する両溶液の順序も離れた順序にて添加するものとする。本実施例では、塩化カルシウム溶液、重炭酸ナトリウム溶液、重炭酸カリウム溶液、硫化マグネシウム溶液の順序で水タンク３０内の被処理水に添加するものとする。
【００６０】
一方、水タンク３０内には被処理水の導電率を測定するための導電率測定手段としての導電率計３７が設置されており、この導電率計３７は制御手段に接続されている。そして、制御手段は、導電率計３７により検出される被処理水の導電率が予め設定された所定の導電率となるように各タンク３２乃至３５から供給されるミネラル成分を含む各溶液の添加量を制御している。
【００６１】
具体的には、制御手段が電磁弁３２Ｖ、３３Ｖ、３４Ｖ、３５Ｖを開閉して、各溶液を予め決められた所定量ずつ水タンク３０内の被処理水に添加し、導電率計３７により検出される被処理水の導電率が予め設定された所定の導電率となるよう制御している。この被処理水への各ミネラル成分の添加の制御動作については、後に詳述する。
【００６２】
尚、本実施例ではタンク３２に塩化カルシウム溶液、タンク３３に硫酸マグネシウム溶液、タンク３４に重炭酸ナトリウム溶液、タンク３５に重炭酸カリウム溶液をそれぞれ貯留して、水タンク３０内の被処理水に各タンク３２乃至３５から各溶液を添加することで、被処理水にカルシウム、ナトリウム、カリウム、マグネシウムのミネラル成分を添加するするものとしたが、上記以外の他のミネラル成分を添加する場合には更に別のタンク内にそのミネラル成分を含む溶液を貯留し、当該溶液を前記各溶液と同様に水タンク３０内の被処理水に供給することで、被処理水に別のミネラル成分も添加することが可能である。また、上記ミネラル成分は、上述した溶液以外に各ミネラル成分を含む他の溶液を適用しても差し支えない。この場合も、少なくともミネラル成分の添加により被処理水に沈殿が生じることのない、順序及び箇所から被処理水にミネラル成分を添加する必要がある。
【００６３】
また、本実施例のミネラル添加処理手段７は、上述したように各タンク３２乃至３５内に各ミネラル成分を含む溶液を貯留し、各タンク３２乃至３５内の各溶液を水タンク３０内に供給することで、当該水タンク３０内の被処理水に各ミネラル成分を添加するものとしたが、本発明のミネラル添加処理手段はこれに限定されるものではなく、例えば、各ミネラル成分をタブレット状に成型して、このタブレットを被処理水に添加するものとしても構わない。この場合も、上記同様に被処理水に沈殿が生じることのない、順序及び箇所からタブレットを添加する必要がある。
【００６４】
ところで、本実施例の水供給装置Ｓは、ミネラル添加処理手段７の前段に無機物除去処理手段２と有機物除去処理手段３とが設けられ、被処理水が前記無機物除去処理手段２、有機物除去処理手段３及びミネラル添加処理手段７を順次流れる構成とされている。即ち、水タンク１１の出口に接続された配管４０が無機物除去処理手段２の入口側に接続され、無機物除去処理手段２の出口側に接続された配管４１が有機物除去処理手段３の入口側に接続されている。そして、有機物除去処理手段３の出口側に接続された配管４２が貯留タンク８の入口に接続されている。また、貯留タンク８の取出口９Ａに接続された配管４３はミネラル添加処理手段７の入口側（水タンク３０の一側に設けられた入口）に接続されて、上述の如く被処理水が無機物除去処理手段２、有機物除去処理手段３及びミネラル添加処理手段７を順次流れる構成とされている。
【００６５】
更に、本実施例の水供給装置Ｓには、各処理手段（無機物除去処理手段２、有機物除去処理手段３及びミネラル添加処理手段７）をそれぞれバイパスするためのバイパス回路が設けられている。即ち、図１において、回路Ａは、水タンク１１からの被処理水を無機物除去処理手段２をバイパスして流すためのバイパス回路であり、当該バイパス回路Ａの一端は、無機物除去処理手段２の入口側の配管４０の途中部に接続され、他端は無機物除去処理手段２の出口側の配管４１の途中部に接続されている。
【００６６】
回路Ｂは、有機物除去処理手段３をバイパスして被処理水を流すためのバイパス回路であり、バイパス回路Ｂの一端は、有機物除去処理手段３の入口側の配管４１の途中部であって、前記バイパス回路Ａの他端の接続点より下流側（即ち、有機物除去処理手段３側）となる位置に接続されている。そして、バイパス回路Ｂの他端は、有機物除去処理手段３の出口側の配管４２の途中部に接続されている。また、回路Ｄは、ミネラル添加処理手段７をバイパスして被処理水を流すためのバイパス回路であり、該バイパス回路Ｄの一端は、ミネラル添加処理手段７の入口側の配管４３の途中部に接続されている。そして、バイパス回路Ｄの他端は、ミネラル添加処理手段７の出口側の配管４５の途中部に接続されている。
【００６７】
これら各バイパス回路Ａ、Ｂ、Ｄ及び配管４０、４１、４３には被処理水を処理手段（無機物除去処理手段２、有機物除去処理手段３、ミネラル添加処理手段７）に流すかバイパス回路Ａ、Ｂ、Ｄに流すかをそれぞれ制御する流路制御手段としての電磁弁Ｖ１、Ｖ２、Ｖ３、Ｖ４、Ｖ５、Ｖ６がそれぞれ設置され、前記制御手段により開閉が制御されている。
【００６８】
他方、前述した貯留タンク８は、前記無機物除去処理手段２、有機物除去処理手段３、ミネラル添加処理手段７の何れか、若しくは、全ての処理手段（無機物除去処理手段２、有機物除去処理手段３、ミネラル添加処理手段７）が処理機能を奏し、又は、全ての処理手段（無機物除去処理手段２、有機物除去処理手段３、ミネラル添加処理手段７）が処理機能を奏することなく得られた被処理水を貯留する貯留手段である。
【００６９】
この貯留タンク８は無機物除去処理手段２及び有機物除去処理手段３と、ミネラル添加処理手段７との間に介在されている。即ち、本実施例の水供給装置Ｓは、貯留タンク８を経た被処理水をミネラル添加処理手段７に供給するよう構成されている。従って、本実施例の貯留タンク８は、前記無機物除去処理手段２又は有機物除去処理手段３の何れか、若しくは、全て（双方）の処理手段（無機物除去処理手段２及び有機物除去処理手段３）が処理機能を奏し、又は、双方の処理手段（無機物除去処理手段２及び有機物除去処理手段３）が処理機能を奏することなく得られた被処理水を貯留する貯留手段である。
【００７０】
具体的に、貯留タンク８の一側に形成された入口には前記配管４２が接続されて、当該配管４２から貯留タンク８内に前記無機物除去処理手段２又は有機物除去処理手段３の何れか、若しくは、無機物除去処理手段２及び有機物除去処理手段３の双方が処理機能を奏し、又は、無機物除去処理手段２及び有機物除去処理手段３の双方が処理機能を奏することなく得られた被処理水が供給される。また、貯留タンク８の他側には２つの取出口９Ａ、９Ｂが形成され、取出口９Ａには前記電磁弁Ｖ３が介設された配管４３が接続され、当該電磁弁４３の開放により配管４３から貯留タンク８内の被処理水がミネラル添加処理手段７に供給されるように構成されている。
【００７１】
一方、取出口９Ｂには循環回路Ｃの一端が接続されている。循環回路Ｃは、貯留タンク８内に貯留された被処理水を当該貯留タンク８と有機物除去処理手段３との間で循環させるための回路であり、当該循環回路Ｃの他端は無機物除去処理手段２の入口側の配管４０の途中部であって、前記バイパス回路Ａの一端の接続点より上流側（水タンク１１側）となる位置に接続されている。
【００７２】
当該循環回路Ｃには貯留タンク８内の被処理水を汲み上げるためのポンプＰ１が介設されている。このポンプＰ１は制御手段に接続され、当該制御手段により動作が制御されている。
【００７３】
以上の構成から成る本実施例の水供給装置Ｓは、例えば、図２に示す本体Ｘ内に収容され、本体Ｘ内の上側から下側に向かって水分回収手段１、水タンク１１、無機物除去処理手段２、有機物除去処理手段３、貯留タンク８、ミネラル添加処理手段７が順次配置されている。
【００７４】
そして、本体Ｘの下方には、被処理水を取り出すための飲料水取出口５０が形成されており、例えば、本体Ｘの開閉扉１２８の前面に設けられた水選択スイッチＳＷＭ１〜ＳＷＭ４の何れかが操作されると、配管４５及びノズル１１３を介して飲料水取出口５０の底部となるテーブル１１４上に配置されたカップ１１５に飲料水が供給されるよう構成されている。この水選択スイッチＳＷＭ１〜ＳＷＭ４は、ミネラル添加処理手段７が被処理水に対して処理機能を奏するか否かを選択するための選択手段である。
【００７５】
具体的に、スイッチＳＷＭ１、ＳＷＭ２、ＳＷＭ３は被処理水に添加するミネラル成分の量を選択するためのスイッチであり、制御手段が有する一種以上（上述の如く本実施例では３種類）のミネラル水のミネラル成分に関するデータに対応して設けられている。
【００７６】
例えば、本実施例ではスイッチＳＷＭ１はミネラル水１を選択するためのスイッチ、スイッチＳＷＭ２はミネラル水２を選択するためのスイッチ、スイッチＳＷＭ３はミネラル水３を選択するためのスイッチである。
【００７７】
制御手段は、各スイッチＳＷＭ１〜ＳＷＭ３の操作に基づき、貯留タンク８に貯えられた被処理水に選択されたスイッチＳＷＭ１〜ＳＷＭ３に対応するミネラル成分を添加して各ミネラル水１〜３を調合し、配管４５及びノズル１１３を介して本体Ｘの下方のテーブル１１４上に配置されたカップ１１５に供給する。他方、スイッチＳＷＭ４は、ミネラル添加処理手段７が被処理水に対して処理機能を奏することなく供給される、即ち、ミネラル成分が全く添加されない水を選択するためのスイッチである。制御手段は、当該スイッチＳＷＭ４が操作されると、バイパス回路Ｄの電磁弁Ｖ４を開放し、貯留タンク８からの被処理水を当該バイパス回路Ｄに流し、配管４５及びノズル１１３を介して本体Ｘの下方のテーブル１１４上に配置されたカップ１１５に供給する。
【００７８】
ところで、本実施例の制御手段は、被処理水の導電率に基づいてミネラル添加処理手段７によるミネラル成分の添加を制御して、上記の如くミネラル水１からミネラル水３に至る複数種類（実施例では３種類）のミネラル成分を含む水を調合している。例えば、図１０に示す世界各地で産出される複数種類（実施例では３種類）の名水（ミネラル水）のミネラル成分比率に関するデータが制御手段のメモリに予め書き込まれており、スイッチＳＷＭ１〜ＳＷＭ３の選択に応じて、メモリからそのデータを読み込んで、被処理水の導電率が読み込まれたミネラル水の導電率となるまで、各々設定された所定の添加量でミネラル成分が添加される。尚、制御手段によるミネラル成分添加の制御動作については後に詳述する。
【００７９】
一方、前記開閉扉１２８の前面には上記選択スイッチＳＷＭ１〜ＳＷＭ４の直上に、複数（本実施例では５つ）の処理機能選択スイッチＳＷＴ１、ＳＷＴ２、ＳＷＴ３、ＳＷＴ４、ＳＷＴ５が設置されている。各処理機能選択スイッチＳＷＴ１、ＳＷＴ２、ＳＷＴ３、ＳＷＴ４、ＳＷＴ５は、無機物除去処理手段２及び有機物除去処理手段３が被処理水に対して処理機能を奏するか否かをそれぞれ選択する選択手段である。各処理機能選択スイッチＳＷＴ１乃至ＳＷＴ５は前記選択スイッチＳＷＭ１〜ＳＷＭ４と同様に制御手段に接続される。
【００８０】
例えば、本実施例ではスイッチＳＷＴ１は水分回収手段１にて回収された空気中の水分が被処理水として使用される場合の処理モードを選択するためのスイッチである。このスイッチＳＷＴ１が選択された場合、制御手段は被処理水に対して、水分回収手段１による水分回収と、無機物除去処理手段２及び有機物除去処理手段３の処理機能を奏するよう各処理手段の運転及び各電磁弁の開閉を制御する。
【００８１】
また、スイッチＳＷＴ３は湧水や井戸水等の天然水が被処理水として使用される場合の処理モードを選択するためのスイッチである。このスイッチＳＷＴ３が選択されると、制御手段は被処理水に対して、無機物除去処理手段２を奏することなく、有機物除去処理手段３のみを奏するように各処理手段の運転及び各電磁弁の開閉を制御する。
【００８２】
そして、スイッチＳＷＴ４は水道水等の予め殺菌、或いは、除菌処理された水が被処理水として使用される場合の処理モードを選択するためのスイッチである。このスイッチＳＷＴ４が選択された場合、制御手段は被処理水に対して有機物除去処理手段３による処理機能を奏すること無く、無機物除去処理手段２の処理機能を奏するよう各処理手段の運転及び各電磁弁の開閉を制御する。
【００８３】
更にまた、スイッチＳＷＴ５は貯留タンク８に貯留された被処理水を貯留タンク８と有機物除去処理手段３との間で循環させるための処理モードを選択するためのスイッチである。このスイッチＳＷＴ５が選択された場合には、制御手段は貯留タンク８に貯留された被処理水を有機物除去処理手段３に流して、当該有機物除去処理手段３による処理機能を奏するように各処理手段の運転及び各電磁弁の開閉及びポンプＰ１の運転を制御する。
【００８４】
尚、スイッチＳＷＴ２は緊急時の処理モードを選択するためのスイッチであり、このスイッチＳＷＴ２が選択されると、前述したスイッチＳＷＭ１〜ＳＷＭ４を操作することなく、処理された水が供給されることとなる。即ち、スイッチＳＷＴ２が選択された場合には、制御手段は被処理水に対して無機物除去処理手段２及びミネラル添加処理手段７による処理機能を奏することなく、水分回収手段１による水分回収と有機物除去処理手段３の処理機能を奏するように各処理手段の運転及び各電磁弁の開閉を制御する。具体的な動作については以下の動作説明で詳述する。
【００８５】
以上の構成で次に本実施例の水供給装置Ｓの動作について詳述する。ユーザにより使用する被処理水の種類や使用状況等に応じて、処理モードが選択されると、制御手段は当該処理モードに応じて各処理手段の運転及び電磁弁等を制御する。
（１）被処理水として空気中から回収した水を使用する処理モード
始めに、処理機能選択スイッチＳＷＴ１が選択された場合の動作について説明する。
【００８６】
この場合、水分回収手段１により空気中から水分を回収し、この回収された水分を被処理水として使用するものとする。当該処理モードが選択されると（スイッチＳＷＴ１が選択）、制御手段により各バイパス回路Ａ、Ｂに設けられた各電磁弁Ｖ５、Ｖ６が全閉され、配管４０の電磁弁Ｖ１、配管４１の電磁弁Ｖ２が開放される。これにより、水分回収手段１から水タンク１１に回収された被処理水は、図４の実線矢印で示すように、無機物除去処理手段２及び有機物除去処理手段３をバイパスすることなく、無機物除去処理手段２を順次通過することとなる。また、制御手段により水分回収手段１、無機物除去処理手段２、有機物除去処理手段３の運転が開始される。
【００８７】
これにより、水供給装置Ｓ外部の空気が前記送風機により、回収手段１に送風され、当該空気は第１の空気通路、吸湿剤１０の水分吸着領域を経て外部に吐出される。このとき、空気中に含まれた水分は水分吸着領域となる部分の吸着剤１０に吸着され、電動機による回転によって水分放出領域に搬送される。そして、送風手段の運転により、ヒータにて高温（例えば、＋１４０℃）に加熱された空気が吸湿剤１０の水分放出領域を経て凝縮部に排出される。これにより、ヒータにて加熱された空気は、水分吸着領域で吸着剤１０に吸着された水分を吸湿剤１０の水分放出領域にて受け取った後、凝縮部にて冷却されて、凝縮する。そして、当該凝縮した水分は当該凝縮部の直下に位置する水タンク１１内に受容される。このように、吸湿剤１０の回転により、水分吸着と放出作用を連続的に達成させて、空気中から効率よく水を回収することができる。
【００８８】
水タンク１１内に一旦貯留された水（被処理水）は、当該水タンク１１の直下に位置する無機物除去処理手段２、有機物除去処理手段３を順次通過し、この過程で前記無機物及び細菌などの有機物が除去される。このように、無機物除去処理手段２にて被処理水中に含まれる塵埃、ゼオライトの微粉末、陽イオン（特に、金属イオン）やこれらのスケールなどの不純物を除去し、且つ、有機物除去処理手段３にて被処理水中の細菌を細菌を除去（除菌）させることで、被処理水を安全な飲用可能な水とすることができる。そして、有機物除去処理手段３にて除菌処理された被処理水は貯留タンク８に貯留される。
（２）被処理水として湧水や井戸水等の天然水を使用する処理モード
一方、空気中から回収された水分以外の水を被処理水として使用する場合には、被処理水を無機物除去処理手段２、有機物除去処理手段３及びミネラル添加処理手段７の全ての処理を施すことなく、飲用に適した美味しく、且つ、安全な水を製造することが可能な場合もある。その一例として、湧水や井戸水等の天然水を被処理水として用いる場合、当該湧水や井戸水自体に固有の旨味成分が含まれているので、その旨味成分を取り除くことなく細菌の除去処理のみを行うことが好ましい。そこで、本発明の水供給装置Ｓは、このように湧水や井戸水などの旨味成分が含まれた水を被処理水として使用する場合の処理モードを備えている。即ち、ユーザーによりＳＷＴ３が選択されると、被処理水に対して無機物除去処理手段２を機能させずに、有機物除去処理手段３のみを機能させる処理が実行される。
【００８９】
先ず、制御手段により配管４０の電磁弁Ｖ１が全閉され、バイパス回路Ａの電磁弁Ｖ５が開放されると共に、配管４１の電磁弁Ｖ２が開放され、バイパス回路Ｂの電磁弁Ｖ６が全閉される。これにより、水タンク１１内の被処理水は、図４の破線（一点破線）矢印で示すように、無機物除去処理手段２をバイパスして有機物除去処理手段３を通過することとなる。
【００９０】
そして、外部から水タンク１１に供給され、当該水タンク１１内に一旦貯えられた水（被処理水）は、バイパス回路Ａを経て、有機物除去処理手段３を通過し、この過程で細菌などの有機物が除去される。この場合、有機物除去処理手段３を炭素繊維を用いて有機物を吸着除去する手段、或いは、濾過膜を用いた手段にて構成することで、被処理水の風味を全く損なうことなく、細菌等の有機物を除去することができる。
【００９１】
即ち、有機物除去処理手段３を電解により次亜塩素酸やオゾン等を発生させる手段にて構成した場合、被処理水中に次亜塩素酸やオゾンを発生させなければならならず、当該次亜塩素酸やオゾンの発生量を微量としても、被処理水の旨味成分に影響を及ぼして、風味が損なわれる、若しくは、風味が劣る恐れがあった。しかしながら、上述の如く有機物除去処理手段３を、炭素繊維を用いて有機物を吸着除去する手段、濾過膜を用いた手段のうちの何れか一つ、若しくは、双方から構成することで、上述のような不都合を未然に回避することができる。そして、有機物除去処理手段３にて除菌処理された被処理水は、貯留タンク８に貯留される。
【００９２】
（３）被処理水として水道水などの予め有機物除去された水を使用する処理モード
他方、空気中から回収された水分以外の水として、例えば、水道水を被処理水として使用する場合、水道水は既に殺菌、或いは、除菌されて有機物が除去処理されているので、有機物除去処理手段にて処理する必要がない。即ち、無機物除去処理手段にて風味を損ねる陽イオン（特に、金属イオン）を含む全ての無機物を水道水から一端除去した後、ミネラル添加処理手段にて水の旨味成分となるマグネシウム、カルシウム、カリウム、ナトリウム、シリカ等のミネラル成分のみを添加するだけで、水道水を安全で美味しい水とすることができる。そこで、本発明の水供給装置Ｓは、このように水道水などの予め有機物が除去処理された水を被処理水として使用する場合の処理モードを備えている。即ち、ユーザーによりＳＷＴ４が選択されると、予め有機物が除去処理された水に対応した処理が実行される。
【００９３】
先ず、制御手段により配管４０の電磁弁Ｖ１が開放され、バイパス回路Ａの電磁弁Ｖ５が閉塞されると共に、配管４１の電磁弁Ｖ２が閉塞され、バイパス回路Ｂの電磁弁Ｖ６が開放される。これにより、水タンク１１内の被処理水は、図４の破線（二点破線）矢印の如く無機物除去処理手段２を通過した後、有機物除去処理手段３をバイパスすることとなる。
【００９４】
そして、外部から水タンク１１に供給され、当該水タンク１１内に一旦貯えられた水（被処理水）は、無機物除去処理手段２を通過し、この過程で被処理水中に含まれる塵埃、ゼオライトの微粉末、陽イオン（特に、金属イオン）やこれらのスケールなどの不純物（無機物）が除去される。その後、被処理水はバイパス回路Ｂを経て貯留タンク８に貯留される。
【００９５】
（４）水供給動作
ところで、上述した各処理モードにより処理され貯留タンク８内に貯留された被処理水は、前記スイッチＳＷＭ１〜ＳＷＭ４の何れかが選択されると、その選択されたスイッチＳＷＭ１〜ＳＷＭ４に対応する水に調合されて、その水が配管４５及びノズル１１３を介してテーブル１１４上に配置されたカップ１１５に供給される。
【００９６】
この場合、スイッチＳＷＭ１〜ＳＷＭ３が選択された場合には、制御手段は貯留タンク８内の水をミネラル添加処理手段７に流して、当該ミネラル添加処理手段７にてミネラル成分を添加してミネラル水を調合する。制御手段はミネラル成分の添加をミネラル添加処理手段７の水タンク３０に設けられた導電率計３７にて検出される導電率に基づいて制御している。水の導電率は当該水の中に含まれるミネラル成分の量に比例して大きくなる。軟水では導電率が低く、水の硬度が高くなるにつれて導電率は高くなる。
【００９７】
そこで、上述したように本実施例の制御手段には、図１０に示す世界各地で産出される複数種類（実施例では３種類）の名水（ミネラル水１、ミネラル水２及びミネラル水３）のミネラル成分比率に関するデータと各ミネラル水１〜３の導電率Ｃｏが制御手段のメモリに予め書き込まれており、スイッチＳＷＭ１〜ＳＷＭ３の選択に応じて、メモリからそのデータ及び導電率Ｃｏを読み込んで、その導電率Ｃが読み込まれたミネラル水の導電率Ｃｏとなるまで、各々予め設定された所定の添加量で各ミネラル成分が添加される。
【００９８】
ここで、当該制御手段によるミネラル成分の添加制御動作について図５を用いて具体的に説明する。図５は、ミネラル添加処理手段７によるミネラル分の添加制御動作を示すフローチャートである。尚、当該ミネラル添加処理手段７にて処理される被処理水は、前段の無機物除去処理手段２にて被処理水中のミネラル成分が全て除去された、即ち、被処理水中にイオンが存在しない純水であるものとして説明する。
【００９９】
先ず、ユーザーによりミネラル水１、ミネラル水２或いはミネラル水３を選択するスイッチＳＷＭ１〜ＳＷＭ３の何れかが操作されると、制御手段は配管４３の電磁弁Ｖ３を所定の短時間開く。尚、このとき、バイパス回路Ｄの電磁弁Ｖ４は閉じられているものとする。これにより、貯留タンク８内に貯えられた所定量（例えば、ユーザーによる１回のスイッチ操作（スイッチＳＷＭ１〜ＳＷＭ３の何れかの１回の操作）で、所定量（例えば、２００ｍＬ）の被処理水が水タンク３０に供給されるものとする。
【０１００】
そして、上記所定量（２００ｍＬ）の被処理水が水タンク３０内に供給されると、制御手段はミネラル添加制御動作を開始する。始めに、制御手段は、図５のステップＳ１にて選択されたミネラル水（本実施例では、ミネラル水１乃至ミネラル水３の何れか）のミネラル成分比率に関するデータを読み込み、そのデータに基づいて予め設定された所定の添加量のミネラル成分を被処理水に沈殿の生じることのない所定の順序で添加する。
【０１０１】
具体的に、ユーザーによりミネラル水１が選択された場合（即ち、選択スイッチＳＷＭ１が操作された場合）を例に挙げて説明すると、図１０に示すように、選択されたミネラル水は、１Ｌあたり、カルシウム９１ｍｇ、ナトリウム７．３ｍｇ、カリウム４．９ｍｇ、マグネシウム１９．９ｍｇを含有するので、例えば、制御手段は、各電磁弁３２Ｖ〜３５Ｖの開閉動作により、水タンク３０内の２００ｍＬの純水（被処理水）にカルシウム１８．２ｍｇ、ナトリウム１．４６ｍｇ、カリウム０．９８ｍｇ、マグネシウム３．９８ｍｇ以下であって、これらに近い量の各ミネラル成分が添加されるように各電磁弁３２Ｖ〜３５Ｖを制御して、各タンク３２〜３５内の各溶液を塩化カルシウム溶液、重炭酸ナトリウム溶液、重炭酸カリウム溶液、硫化マグネシウム溶液の順序で添加する。
【０１０２】
これにより、近いタイミングで添加すると沈殿が発生しやすいタンク３２内に貯留された塩化カルシウム溶液とタンク３５内に貯留された硫酸マグネシウム溶液とを離れた順序で水タンク３０内の被処理水に添加することができ、且つ、本実施例では、前述したように塩化カルシウム溶液と硫酸マグネシウム溶液とを離れた箇所から水タンク３０内の被処理水に添加するよう構成したので、各ミネラル成分を含む溶液を水タンク３０内の被処理水に添加することにより、被処理水に沈殿が生じて、当該被処理水が白濁する不都合を確実に防ぐことができる。このように、ステップＳ１にて所定量（実施例では２００ｍＬ）のミネラル水１に含まれる各ミネラル成分の量以下のミネラル成分をステップＳ１にて添加することで、被処理水の導電率Ｃを導電率の目標値（即ち、Ｃｏ）を大きくオーバーしない値とすることができる。
【０１０３】
次に、制御手段は、ステップＳ２にて導電率計３７により水タンク３０内の被処理水の導電率Ｃを測定した後、ステップＳ３に移行して、選択されたスイッチＳＷＭ１〜ＳＷＭ３に応じて、メモリに記憶されているその導電率のデータＣｏを読み込んで、ステップＳ４に移行する。
【０１０４】
そして、ステップＳ４にて制御手段は導電率計３７にて測定された被処理水の導電率Ｃと読み込まれた導電率のデータＣｏとを比較する。即ち、制御手段はステップＳ４にて読み込まれた導電率データＣｏと被処理水の導電率Ｃとの差αを計算し（即ち、α＝Ｃｏ−Ｃ）、ステップＳ５に移行して、ステップＳ４にて算出された差αが予め設定されたある値Ｘ１（尚、予め設定されたＸ１は、後述するＸ２より大きい正の値である）以上であるか否かを判断する。
【０１０５】
ここで、差αがＸ１より大きい場合には、水タンク３０内の被処理水の導電率Ｃが読み込まれた導電率のデータＣｏ（即ち、選択されたミネラル水の導電率であり、その導電率となるように被処理水にミネラル成分の添加が行われる）よりかなり小さいので、制御手段はステップＳ６に移行して、各タンク３２乃至３５に貯留された各溶液を２ステップづつ水タンク３０内に供給する。具体的には、制御手段が各電磁弁３２Ｖ〜３５Ｖを制御して、各タンク３２〜３５内の各溶液を塩化カルシウム溶液、重炭酸ナトリウム溶液、重炭酸カリウム溶液、硫化マグネシウム溶液の順序で各溶液を２ステップ分、添加する。尚、１ステップの各溶液の添加量や閾値（ゾーン）Ｘ１、Ｘ２は、１ステップ分の添加に伴う導電率の上昇を予め計測しておいて、目標値（即ち、Ｃｏ）を大きくオーバーしないような値とする。
【０１０６】
例えば、１ステップ分の各ミネラル成分の添加量を所定量の各ミネラル水が含有する各ミネラル成分の１／２００の量とすると、当該ステップＳ６では、２ステップの添加量であるため、所定量の各ミネラル水が含有する各ミネラル成分の１／１００の量の各ミネラル成分が添加される。ここで、ミネラル水１が選択され、水タンク３０内に２００ｍＬの被処理水が供給された場合を例に挙げて説明すると、制御手段は、当該ステップＳ６において、水タンク３０内の２００ｍＬの被処理水にカルシウム０．１８２ｍｇ、ナトリウム１．４６×１０-2ｍｇ、カリウム０．９８×１０-2ｍｇ、マグネシウム３．９８×１０-2ｍｇが添加されるように、各電磁弁３２Ｖ〜３５Ｖを制御して、塩化カルシウム溶液、重炭酸ナトリウム溶液、重炭酸カリウム溶液、硫化マグネシウム溶液の順序で各溶液を添加する。
【０１０７】
次に、制御手段はステップＳ６からステップＳ２に戻って、再び、導電率計３７にて水タンク３０内の被処理水の導電率Ｃを測定し、ステップＳ３、ステップＳ４、ステップＳ５を順次行う。一方、係るミネラル成分の添加により前記ステップＳ５にて差αがＸ１より小さくなると、制御手段はステップＳ７に移行して、ステップＳ４にて算出されたαが予め設定されたある値Ｘ２（Ｘ２は、前記Ｘ１より小さい正の値である）以上であるか否かを判断する。
【０１０８】
ここで、αがＸ２より大きい場合には、制御手段はステップＳ８に移行して、各タンク３２乃至３５に貯留された各溶液を１ステップずつ水タンク３０内に供給する。即ち、上述したステップＳ６にて説明したように制御手段が各電磁弁３２Ｖ〜３５Ｖを制御して、各タンク３２〜３５内の各溶液を塩化カルシウム溶液、重炭酸ナトリウム溶液、重炭酸カリウム溶液、硫化マグネシウム溶液の順序で各溶液を１ステップ分、添加する。具体的に、前述同様に１ステップ分の各ミネラル成分の添加量を所定量の各ミネラル水が含有する各ミネラル成分の１／２００の量とし、ミネラル水１が選択され、且つ、水タンク３０内に２００ｍＬの被処理水が供給された場合を例に挙げて説明する。この場合、制御手段は、当該ステップＳ８において、水タンク３０内の２００ｍＬの被処理水にカルシウム９．１×１０-2ｍｇ、ナトリウム７．３×１０-3ｍｇ、カリウム４．９×１０-3ｍｇ、マグネシウム１．９９×１０-2ｍｇが添加されるように、各電磁弁３２Ｖ〜３５Ｖを制御して、塩化カルシウム溶液、重炭酸ナトリウム溶液、重炭酸カリウム溶液、硫化マグネシウム溶液の順序で各溶液を添加する。
【０１０９】
このように、差αがＸ１以上の時は２ステップ分各タンク３２乃至３５から各溶液（ミネラル成分）を添加することで、目標とする導電率Ｃｏに早期に近づけることができる。また、各溶液（ミネラル成分）の添加によって差αがＸ１より小さくなった場合には、差αとＸ１より小さい値であるＸ２とを比較して、差αがＸ２以上であれば１ステップ分ミネラル成分を添加することで、目標とする導電率Ｃｏを大きくオーバーするといった不都合も回避できる。
【０１１０】
一方、係るミネラル成分の添加により、ステップＳ７にて差αがＸ２未満になると、制御手段はステップＳ９に移行し、水タンク３０、或いは、配管４５に設けられた図示しない電磁弁を開放し、水タンク３０内にて調合されたミネラル水を配管４５、ノズル１１３を介して飲料水取出口５０のテーブル１１４上のカップ１１５に供給する。
【０１１１】
以上のように本実施例の水供給装置Ｓによれば、ミネラル成分選択スイッチＳＷＭ１〜ＳＷＭ３により選択されたミネラル水（ミネラル水１〜ミネラル水３の何れか）に応じてミネラル添加処理手段７によるミネラル成分の添加を行うと共に、被処理水の導電率に基づいてミネラル添加処理手段によるミネラル成分の添加を制御することで、各ミネラル水（ミネラル水１〜ミネラル水３）を生成することができる。これにより、ユーザーの要望に応じた性状のミネラル水を生成することが可能となり、汎用性の向上を図ることができる。特に、本実施例の如く添加するミネラル成分の量を被処理水の導電率により制御することで、ミネラル成分の添加量を容易に管理し、美味しい水をより簡単に造ることがことができる。
【０１１２】
更に、空気中から回収された水を被処理水とし、当該被処理水が無機物除去処理手段２、有機物除去処理手段３及びミネラル添加処理手段７を順次流れる構成とすることで、空気中から回収された水分から飲用に適した美味しく且つ安全な水を製造することができるようになる。
【０１１３】
また、無機物除去処理手段２にて無機物を除去した後にミネラル添加処理手段７にてミネラル成分を添加することで、人体に有害となる金属イオンなどの陽イオンを確実に除去した上で必要なミネラル成分のみを添加できるようになる。特に、無機物除去処理手段２にて被処理水から無機物を除去処理することで、被処理水をイオンが存在しない純水とすることができ、後段のミネラル添加処理手段７にて、導電率に基づき各ミネラル水をつくる上で最適な状態とすることができる。更に、ミネラル添加処理手段７を有機物除去処理手段３の後段（出口側）に設けることで、特に、当該有機物除去処理手段３を電解処理装置とした場合、ミネラル添加により電解処理に悪影響を与える不都合も回避できる。即ち、ミネラル添加処理手段７を有機物除去処理手段３の前段（入口側）に設けた場合、せっかくミネラル成分を添加しても、当該ミネラル添加処理手段７の後に位置する有機物処理手段３における電解処理でミネラル成分が除去され恐れがあった。また、当該ミネラル成分が電極に付着するため、電極の劣化を招き、性能及び耐久性を低下させる不都合が生じることとなる。
【０１１４】
そこで、本実施例の如くミネラル添加処理手段７を無機物除去処理手段２と有機物除去処理手段３の後段に設けて、被処理水が無機物除去処理手段２、有機物処理手段３及びミネラル添加処理手段７を順次流れる構成とすることで、上記不都合を解消し、飲用に適した美味しく且つ安全な水を製造することができるようになる。
【０１１５】
更に、本実施例の如く水供給装置Ｓを本体Ｘ内に収納し、被処理水が無機物除去処理手段２、有機物処理手段３及びミネラル添加処理手段７を順次流れる構成とし、また、これらを上側から下側に被処理水が流下するよう経路を構成することで、当該水供給装置Ｓにより、被処理水を円滑に処理することが可能となる。特に、本実施例の如く各手段（水回収手段１、無機物除去処理手段２、有機物除去処理手段８及びミネラル添加処理手段７）を本体Ｘ内に構成することで、水供給装置Ｓの小型化が可能となる。これにより、水供給装置Ｓの汎用性の向上を図ることができる。
【０１１６】
他方、ユーザーによりＳＷＭ４が選択された場合には、ミネラル添加処理手段７にてミネラル添加処理されない水が供給される。これは、例えば、貯留タンク８内に貯えられた水が湧水や井戸水等の天然水で有る場合などに適したものである。スイッチＳＷＭ４が選択されると制御手段はバイパス回路Ｄの電磁弁Ｖ４を開き、続いて、配管４３の電磁弁Ｖ３を所定の短時間開く。これにより、貯留タンク８内に貯えられた所定量（例えば、ユーザーによる１回のスイッチＳＷＭ４の操作でカップ１杯分（２００ｍＬ））の被処理水が配管４３からバイパス回路Ｄ、配管４５及びノズル１１３を介して飲料水取出口５０のテーブル１１４上に配置されたカップ１１５に供給される。
【０１１７】
（５）貯留時の処理モード
ところで、前述した貯留タンク８内に貯留された被処理水が、長期間使用されることなく当該貯留タンク８内に貯留された場合には、当該被処理水に再び細菌等の有機物が繁殖する恐れがある。そこで、本発明の水供給装置Ｓは、貯留タンク８内に貯留された被処理水を貯留タンク８と有機物除去処理手段３との間で循環させるための循環回路Ｃに流して、有機物除去処理手段３により当該被処理水中の有機物を除去処理するための処理モードを備えている。即ち、ユーザーによりＳＷＴ５が選択されると、貯留タンク８に貯留された被処理水中の有機物の除去処理が実行される。
【０１１８】
当該処理モードでは、先ず、制御手段により配管４０の電磁弁Ｖ１、バイパス回路Ｂの電磁弁Ｖ６が全閉されると共に、バイパス回路Ａの電磁弁Ｖ５及び配管４１の電磁弁Ｖ２が開放される。また、循環回路Ｃに設けられたポンプＰ１の運転が開始される。このとき、配管４３の電磁弁Ｖ３は閉じられたままの状態である。これにより、被処理水は、図４の白抜き矢印の如く循環回路ＣのポンプＰ１により貯留タンク８内から循環回路Ｃに汲み上げられて、無機物除去処理手段２の入口側の配管４０、バイパス回路Ａ、配管４１、有機物除去処理手段３を順次通過した後、再び、貯留タンク８内に戻るサイクルを繰り返すこととなる。
【０１１９】
制御手段により有機物除去処理手段３の運転が開始されると、貯留タンク８内に一旦貯えられた水（被処理水）は、ポンプＰ１の運転により循環回路Ｃに汲み上げられる。そして、被処理水は当該循環回路Ｃから配管４０、バイパス回路Ａ及び配管４１を経て、有機物除去処理手段３を通過し、この過程で細菌などの有機物が除去される。これにより、被処理水中に発生した有機物（細菌）を除去して、再び、飲用可能な安全な水とすることができる。
【０１２０】
そして、有機物除去処理手段３にて除菌処理された被処理水は、再び、貯留タンク８に貯留される。このように、本処理モードにより貯蔵タンク８内の被処理水を循環回路Ｃに流して、有機物除去処理手段３により当該被処理水を除菌処理することで、貯留タンク８内に長期間貯留されることで、発生した細菌等の有機物を除去して、再び、飲用可能な水として、貯留することができる。
【０１２１】
（６）緊急時の処理モード
ところで、上述のように被処理水を無機物除去処理手段２、有機物除去処理手段３及びミネラル添加処理手段７に順次流して処理することで、飲用に適した美味しく且つ安全な水を製造することができるが、災害地等で本水供給装置Ｓが使用される場合など、早急に飲料可能な水を確保する場合には水の美味しさに拘わらず、最小限の処理で飲用可能な水を造り出すことが要求される。そこで、本発明の水供給装置Ｓは、このように早急に飲用可能な水を確保するための処理モードを備えている。即ち、ユーザーによりＳＷＴ２が選択された場合、当該緊急時に対応した処理が実行される。
【０１２２】
先ず、制御手段により配管４０の電磁弁Ｖ１が全閉され、バイパス回路Ａの電磁弁Ｖ５が開放されると共に、配管４１の電磁弁Ｖ２が開放され、バイパス回路Ｂの電磁弁Ｖ６が全閉される。更に、制御手段により、配管４３の電磁弁Ｖ３及びバイパス回路Ｄの電磁弁Ｖ４が開放される。これにより、外部から水タンク１１に供給された緊急用の水（被処理水）は、図４の破線矢印で示すように、無機物除去処理手段２をバイパスして有機物除去処理手段３を通過した後、貯留タンク８を経て、ミネラル添加処理手段７をバイパスすることとなる。
【０１２３】
そして、外部から水タンク１１内の水（被処理水）は、バイパス回路Ａを経て、有機物除去処理手段３を通過し、この過程で細菌などの有機物が除去される。更に、有機物除去処理手段３にて除菌処理された被処理水は貯留タンク８を通過し、配管４３からバイパス回路Ｄを経て、配管４５及びノズル１１３を介して飲料水取出口５０のテーブル１１４上に配置されたカップ１１５に供給される。このスイッチＳＷＴ２が選択された場合には、前記スイッチＳＷＭ１〜ＳＷＭ４の操作に拘わらず、配管４３の電磁弁Ｖ３が開放され、貯留タンク８内の被処理水が配管４５及びノズル１１３を介してカップ１１５に供給される。
【０１２４】
このように、本処理モードにより水タンク１１内の被処理水を有機物除去処理手段３のみを通過させて除菌処理することで、飲用可能な水を製造することができる。従って、災害時など緊急に飲用可能な水が必要な場合にも早期に対応することができるようになる。これにより、災害地等で、水の美味しさに拘わらず、早急に水が必要な場合であっても、スイッチＳＷＴ２の操作により、最小限の処理で飲用可能な水を供給することができる。
【０１２５】
尚、水供給装置Ｓを本実施例の如く構成することで、上記に詳述した処理モード以外にも、水タンク１１からの被処理水を無機物除去処理手段２のみに流し、有機物除去処理手段３及びミネラル添加処理手段７をバイパスする処理モードや、ミネラル添加処理手段７のみに流し、無機物除去処理手段２及び有機物除去処理手段３をバイパスする処理モード、或いは、何れの処理手段もバイパスさせて、即ち、全ての処理手段の処理機能も奏さないモードも選択可能に構成することも可能である。更にまた、貯留タンク８に貯留された被処理水を循環回路Ｃに流す処理モードにおいても、前述したＳＷＴ５の処理モードに限らず、循環回路Ｃからの被処理水を無機物除去処理手段２及び有機物除去処理手段３に順次流す処理モードや、無機物除去処理手段２のみに流す処理モードを備えて、これら処理モードも選択可能に構成することも可能である。
【０１２６】
以上詳述した如く、本発明の水供給装置Ｓにより使用状況や被処理水の種類に応じて、被処理水に対して行う処理機能を選択し、最適な処理を行うことができる。これにより、水供給装置Ｓの汎用性の向上を図ることができるようになる。
【０１２７】
尚、本実施例では、無機物除去処理手段２と有機物除去処理手段３とを別々に構成し、無機物除去処理手段２の出口側に有機物除去処理手段３を設けて、被処理水が無機物除去処理手段２及び有機物除去処理手段３を順次流れるように構成するものとした。このように、無機物除去処理手段２と有機物除去処理手段３とを別々に構成することで、被処理水中から無機物と有機物とを別々に除去処理することが出来ると共に、被処理水をどちらか一方のみ通過させることが可能である。特に、無機物除去処理手段２にて無機物を除去処理した後の被処理水を、有機物除去処理手段２に流すことで、被処理水中の無機物が有機物の処理に悪影響を来す不都合を回避することができる。
【０１２８】
例えば、有機物処理手段３を炭素繊維を用いて有機物を吸着除去する手段とした場合、炭素繊維から成る電極に付着して吸着に支障を恐れがある無機物を無機物処理手段２にて除去処理した後に、係る有機物を吸着除去を行うことが出来るので、炭素繊維による有機物の吸着除去（除菌）処理を効果的に行うことができ、且つ、炭素繊維の劣化も生じ難くなる。これらにより、当該有機物処理手段３の性能及び耐久性を向上することができるようになる。
【０１２９】
しかしながら、本発明、特に、請求項４の発明はこれに限定されるものでなく、無機物除去処理手段２と有機物除去処理手段３とを一体に形成するものとしても有効である。具体的に、無機物除去処理手段２として炭素繊維（ＣＦ）を用いて無機物を除去処理する手段や逆浸透膜を用いて無機物を除去処理する手段を用いた場合には、無機物に加えて、細菌などの有機物も同時に処理することが可能である。従って、無機物除去処理手段２と有機物処理手段３とを一体に形成することができる。即ち、無機物と有機物の処理を１つの装置にて行うことが可能となるので、装置全体の小型化を図ることができるようになる。
【０１３０】
更に、実施例では有機物除去処理手段３を炭素繊維を用いて有機物を吸着除去する手段、或いは、濾過膜を用いる手段のうち何れか一つの手段にて構成するものとしたが、炭素繊維を用いて有機物を吸着除去する手段と濾過膜を用いる手段の双方から構成し、それぞれの処理モード等に応じて何れかの手段を択一的に機能させるものとしても良いし、双方を同時に機能させるものとしても差し支えない。また、請求項４乃至請求項７の発明では、有機物除去処理手段３は炭素繊維を用いて有機物を吸着除去する手段、或いは、濾過膜を用いる手段にて構成するものに限定されない。即ち、請求項４乃至請求項７の発明の有機物除去処理手段３は、被処理水から有機物が除去可能なものであればどのような構成であっても有効である。例えば、電解により次亜塩素酸やオゾン等を発生させて被処理水を殺菌するものとしても良いし、オゾン放電により被処理水を殺菌するものとしても差し支えない。但し、この場合には被処理水中に次亜塩素酸やオゾンを発生させなければならならず、当該次亜塩素酸やオゾンの発生量を微量としても、被処理水の旨味成分に影響を及ぼして、風味が損なわれる、若しくは、風味が劣る恐れがある。同様に、請求項４乃至請求項７の発明の無機物除去処理手段２は、被処理水から無機物が除去可能なものであればどのような構成であっても有効である。
【実施例２】
【０１３１】
一方、上記実施例１では、貯留タンク８を有機物除去処理手段３とミネラル添加処理手段７との間に介設するものとした。この場合には、貯留タンク８内にミネラル添加処理手段７にてミネラル成分の添加されていない状態の水を貯留し、ユーザーによるスイッチＳＷＭ１〜ＳＷＭ４の選択に応じて所望のミネラル水（ＳＷＭ４が選択された場合はミネラル添加されない水）を所定量、例えば、カップ１１５に１杯ずつ供給することが可能であり、性状の異なる水をユーザーの選択に応じて供給することが可能である。しかしながら、図６に示すようにミネラル添加処理手段７の後段に貯留タンク８を設けて、ミネラル添加処理手段７にてミネラル成分が添加された水を貯留タンク８に貯留するものとしても構わない。
【０１３２】
図６に示す本実施例の水供給装置Ｓａは、水タンク１１の出口に接続された配管４０が無機物除去処理手段２の入口側に接続され、無機物除去処理手段２の出口側に接続された配管４１が有機物除去処理手段３の入口側に接続されている。そして、有機物除去処理手段３の出口側に接続された配管４２がミネラル添加処理手段７の入口側（水タンク３０の一側に設けられた入口）に接続され、ミネラル添加処理手段７の出口側（水タンク３０の他側に設けられた出口）に接続された配管４３は、貯留タンク８の入口側（貯留タンク８の一側に設けられた入口）に接続されて、上述の如く被処理水が無機物除去処理手段２、有機物除去処理手段３及びミネラル添加処理手段７を順次流れる構成とされている。
【０１３３】
即ち、本実施例の貯留タンク８は、無機物除去処理手段２、有機物除去処理手段３、ミネラル添加処理手段７の何れか、若しくは、全ての処理手段（無機物除去処理手段２、有機物除去処理手段３、ミネラル添加処理手段７）が処理機能を奏し、又は、全ての処理手段（無機物除去処理手段２、有機物除去処理手段３、ミネラル添加処理手段７）が処理機能を奏することなく得られた被処理水を貯留する貯留手段である。尚、図６において図１と同一の符号が付されているものは同一或いは類似の効果、若しくは、作用を奏するものであるため、ここでは説明を省略する。
【０１３４】
具体的に、貯留タンク８の一側に形成された入口には前述した配管４３が接続されて、当該配管４３から当該貯留タンク８内に前記無機物除去処理手段２、有機物除去処理手段３、ミネラル添加処理手段７の何れか、若しくは、全ての処理手段（無機物除去処理手段２、有機物除去処理手段３、ミネラル添加処理手段７）が処理機能を奏し、又は、全ての処理手段（無機物除去処理手段２、有機物除去処理手段３、ミネラル添加処理手段７）が処理機能を奏することなく得られた被処理水が供給される。また、貯留タンク８の他側には２つの取出口９Ａ、９Ｂが形成され、取出口９Ａには電磁弁４５Ｖが介設された配管４５が接続され、当該配管４５から貯留タンク８内の被処理水が飲料水として取り出し可能に構成されている。
【０１３５】
以上の構成から成る本実施例の水供給装置Ｓａは、前記実施例１と同様に図２に示す本体Ｘ内に収容され、当該ディスペンサＸの上部に上側から下側に向かって水分回収手段１、水タンク１１、無機物除去処理手段２、有機物除去処理手段３、ミネラル添加処理手段７及び貯留タンク８が順次配置されている。
【０１３６】
そして、ディスペンサＸの開閉扉１２８の前面には、前記実施例同様に水選択スイッチＳＷＭ１〜ＳＷＭ３が設けられている。尚、本実施例ではＳＷＭ４は貯留タンク８内に貯留された水を取り出すための飲料スイッチとして使用するものとする。
【０１３７】
更に、上記各スイッチＳＷＭ１乃至ＳＷＭ４の直上には、複数（本実施例では５つ）の処理機能選択スイッチＳＷＴ１、ＳＷＴ２、ＳＷＴ３、ＳＷＴ４、ＳＷＴ５が設置されている。各処理機能選択スイッチＳＷＴ１、ＳＷＴ２、ＳＷＴ３、ＳＷＴ４、ＳＷＴ５は、各処理手段（無機物除去処理手段２、有機物除去処理手段３及びミネラル処理手段７）が被処理水に対して処理機能を奏するか否かをそれぞれ選択する選択手段である。各処理機能選択スイッチＳＷＴ１乃至ＳＷＴ５は制御手段に接続される。
【０１３８】
また、本体Ｘの下方には、当該水供給装置Ｓａにて処理され、貯留タンク８に貯留された被処理水を取り出すための飲料水取出口５０が形成されており、例えば、飲料スイッチＳＷＭ４を操作すると、前記配管４５の電磁弁４５Ｖが開放され、配管４５及びノズル１１３を介して飲料水取出口５０のテーブル１１４上に配置されたカップ１１５に飲料水が供給されるよう構成されている。
【０１３９】
以上の構成で次に本実施例の水供給装置Ｓａの動作について説明する。ユーザにより使用する被処理水の種類や使用状況等に応じて、処理モードが選択されると、制御手段は当該処理モードに応じて各処理手段の運転及び電磁弁等を制御する。
【０１４０】
（１）被処理水として空気中から回収した水を使用する処理モード
始めに、処理機能選択スイッチＳＷＴ１が選択された場合の動作について説明する。
【０１４１】
この場合、水分回収手段１により空気中から水分を回収し、この回収された水分を被処理水として使用するものとする。当該処理モードが選択されると（スイッチＳＷＴ１が選択）、制御手段により各バイパス回路Ａ、Ｂ、Ｄに設けられた各電磁弁Ｖ５、Ｖ６、Ｖ４が全閉され、配管４０の電磁弁Ｖ１、配管４１の電磁弁Ｖ２、配管４２の電磁弁Ｖ３が開放される。これにより、水分回収手段１から水タンク１１に回収された被処理水は、図７の実線矢印で示すように、無機物除去処理手段２、有機物除去処理手段３及びミネラル添加処理手段７の何れの処理手段もバイパスすることなく、無機物除去処理手段２、有機物除去処理手段３及びミネラル添加処理手段７を順次通過することとなる。また、制御手段により、水分回収手段１、無機物除去処理手段２、有機物除去処理手段３及びミネラル添加処理手段７の運転が開始される。
【０１４２】
これにより、水供給装置Ｓ外部の空気が前記送風機により、回収手段１に送風され、当該空気は第１の空気通路、吸湿剤１０の水分吸着領域を経て外部に吐出される。このとき、空気中に含まれた水分は水分吸着領域となる部分の吸着剤１０に吸着され、電動機による回転によって水分放出領域に搬送される。そして、送風手段の運転により、ヒータにて高温（例えば、＋１４０℃）に加熱された空気が吸湿剤１０の水分放出領域を経て凝縮部に排出される。これにより、ヒータにて加熱された空気は、水分吸着領域で吸着剤１０に吸着された水分を吸湿剤１０の水分放出領域にて受け取った後、凝縮部にて冷却されて、凝縮する。そして、当該凝縮した水分は当該凝縮部の直下に位置する水タンク１１内に受容される。このように、吸湿剤１０の回転により、水分吸着と放出作用を連続的に達成させて、空気中から効率よく水を回収することができる。
【０１４３】
水タンク１１内に一旦貯留された水（被処理水）は、当該水タンク１１の直下に位置する無機物除去処理手段２、有機物除去処理手段３を順次通過し、この過程で前記無機物及び細菌などの有機物が除去される。このように、無機物除去処理手段２にて被処理水中に含まれる塵埃、ゼオライトの微粉末、陽イオン（特に、金属イオン）やこれらのスケールなどの不純物を除去し、且つ、有機物除去処理手段３にて被処理水中の細菌を細菌を除去（除菌）させることで、被処理水を安全な飲用可能な水とすることができる。
【０１４４】
更に、有機物除去処理手段３にて除菌処理された被処理水は次にミネラル添加処理手段７の水タンク３０内に流入する。ここで、制御手段は、前述したように本体Ｘの開閉扉１２８の前面に設けられたスイッチＳＷＭ１乃至ＳＷＭ３により選択された性状の水となるように被処理水にミネラル成分を添加する。尚、この場合の制御手段による被処理水へのミネラル成分の添加の制御動作は、前記実施例１で説明した通りであるので、ここでは説明を省略する。
【０１４５】
そして、ミネラル添加処理手段７にてミネラル成分の添加された被処理水は、貯留タンク３０内に一旦貯留される。そして、ユーザーが飲料スイッチＳＷＭ４を操作すると、配管４５の電磁弁４５Ｖが所定の短時間開放され、飲料水取出口５０のテーブル１１４上に配置されたカップ１１５に１杯分の被処理水（飲料水）が供給される。
【０１４６】
（２）緊急時の処理モード
次に、本実施例における緊急時の処理モードについて説明する。ユーザーによりＳＷＴ２が選択された場合、当該緊急時に対応した処理が実行される。
【０１４７】
先ず、制御手段により配管４０の電磁弁Ｖ１及び配管４２の電磁弁Ｖ３が全閉され、バイパス回路Ａの電磁弁Ｖ５及びバイパス回路Ｄの電磁弁Ｖ４が開放されると共に、配管４１の電磁弁Ｖ２が開放され、バイパス回路Ｂの電磁弁Ｖ６が全閉される。これにより、水分回収手段１から水タンク１１に回収された被処理水（本実施例では、水分回収手段１から回収された水分を使用するものとして説明する）は、図７の破線矢印で示すように、無機物除去処理手段２をバイパスして有機物除去処理手段３を通過した後、ミネラル添加処理手段７をバイパスすることとなる。また、制御手段により水分回収手段１及び有機物除去処理手段３の運転が開始される。
【０１４８】
ここで、水分回収手段１による水分回収動作は上記同様であるためここでは省略する。そして、水タンク１１内に回収された水（被処理水）は、バイパス回路Ａを経て、有機物除去処理手段３を通過し、この過程で細菌などの有機物が除去される。
【０１４９】
そして、有機物除去処理手段３にて除菌処理された被処理水は、バイパス回路Ｄを経て、貯留タンク８に一旦貯留され、前記同様に、ユーザーが飲用スイッチＳＷＭ４を操作すると、配管４５の電磁弁４５Ｖが所定の短時間開放され、飲料水取出口５０のテーブル１１４上に配置されたカップ１１５に１杯分の被処理水（飲料水）が供給される。
【０１５０】
（３）被処理水として湧水や井戸水等の天然水を使用する処理モード
次に、本実施例の水供給装置Ｓａにおいて湧水や井戸水等の天然水が被処理水として使用される場合の処理モードを説明する。ユーザーによりＳＷＴ３が選択されると、被処理水に対して無機物除去処理手段２及びミネラル添加処理手段７を機能させずに、有機物除去処理手段３のみを機能させる処理が実行される。
【０１５１】
先ず、制御手段により配管４０の電磁弁Ｖ１及び配管４２の電磁弁Ｖ３が全閉され、バイパス回路Ａの電磁弁Ｖ５及びバイパス回路Ｄの電磁弁Ｖ４が開放されると共に、配管４１の電磁弁Ｖ２が開放され、バイパス回路Ｂの電磁弁Ｖ６が全閉される。これにより、水タンク１１内の被処理水は、図７の破線（一点破線）矢印で示すように、無機物除去処理手段２をバイパスして有機物除去処理手段３を通過した後、ミネラル添加処理手段７をバイパスすることとなる。
【０１５２】
即ち、外部から水タンク１１に供給され、当該水タンク１１内に一旦貯えられた水（被処理水）は、バイパス回路Ａを経て、有機物除去処理手段３を通過し、この過程で細菌などの有機物が除去される。この場合、前記実施例で詳述したように有機物除去処理手段３を炭素繊維を用いて電解する手段、或いは、濾過膜を用いた手段にて構成することで、被処理水の風味を全く損なうことなく、細菌等の有機物を除去することができる。
【０１５３】
そして、有機物除去処理手段３にて除菌処理された被処理水は、バイパス回路Ｃを経て、貯留タンク８に一旦貯留される。そして、前記同様に、ユーザーが飲用スイッチＳＷＭ４を操作すると、配管４５の電磁弁４５Ｖが所定の短時間開放され、飲料水取出口５０のテーブル１１４上に配置されたカップ１１５に１杯分の被処理水（飲料水）が供給される。
【０１５４】
このように、当該処理モードにより湧水や井戸水などの天然水を被処理水として用いた場合に、当該被処理水に含まれた旨味成分を損なうことなく、有機物を除去処理して湧水や井戸水自体の持つ風味を残し、且つ、安全な水を製造することができるようになる。
【０１５５】
（４）被処理水として水道水などの予め除菌処理された水を使用する処理モード
次に、本実施例の水供給装置Ｓａにおいて水道水等の予め殺菌、或いは除菌処理された水が被処理水として使用される場合の処理モードを説明する。この場合、水道水は既に有機物が除去処理されているので、有機物除去処理手段にて処理する必要がない。即ち、無機物除去処理手段にて風味を損ねる陽イオン（特に、金属イオン）を含む全ての無機物を水道水から一端除去した後、ミネラル添加処理手段にて水の旨味成分となるマグネシウム、カルシウム、カリウム、ナトリウム、シリカ等のミネラル成分のみを添加するだけで、水道水を安全で美味しい水とすることができる。即ち、ユーザーによりＳＷＴ４が選択されると、予め有機物が除去処理された水に対応した処理が実行される。
【０１５６】
先ず、制御手段により配管４０の電磁弁Ｖ１及び配管４２の電磁弁Ｖ３が開放され、バイパス回路Ａの電磁弁Ｖ５及びバイパス回路Ｄの電磁弁Ｖ４が閉塞されると共に、配管４１の電磁弁Ｖ２が閉塞され、バイパス回路Ｂの電磁弁Ｖ６が開放される。これにより、水タンク１１内の被処理水は、図７の破線（二点破線）矢印の如く無機物除去処理手段２を通過した後、有機物除去処理手段３をバイパスして、ミネラル添加処理手段７を通過することとなる。また、制御手段により無機物除去処理手段２及びミネラル添加処理手段７の運転が開始される。
【０１５７】
そして、外部から水タンク１１に供給され、当該水タンク１１内に一旦貯えられた水（被処理水）は、無機物除去処理手段２を通過し、この過程で被処理水中に含まれる塵埃、ゼオライトの微粉末、陽イオン（特に、金属イオン）やこれらのスケールなどの不純物（無機物）が除去される。更に、無機物除去処理手段２にて上記無機物が除去処理された被処理水は、有機物除去処理手段３をバイパスして、ミネラル添加処理手段７の水タンク３０内に流入する。ここで、制御手段は、前述したように本体Ｘの開閉扉１２８の前面に設けられたスイッチＳＷＭ１乃至ＳＷＭ３により選択された性状の水となるように被処理水にミネラル成分を添加する。尚、この場合の制御手段による被処理水へのミネラル成分の添加の制御動作は、前記実施例１で説明した通りであるので、ここでは説明を省略する。
【０１５８】
そして、ミネラル添加処理手段７にてミネラル成分の添加された被処理水は、貯留タンク３０内に一旦貯留される。そして、ユーザーが飲料スイッチＳＷＭ４を操作すると、配管４５の電磁弁４５Ｖが所定の短時間開放され、飲料水取出口５０のテーブル１１４上に配置されたカップ１１５に１杯分の被処理水（飲料水）が供給される。
【０１５９】
このように、本処理モードにより水道水などの既に有機物が除去処理された水を被処理水として用いた場合に、有機物除去処理手段３を行うことなく、無機物除去処理手段２にて被処理水から無機物を一端除去した後、ミネラル添加処理手段７にて水の旨味成分となるマグネシウム、カルシウム、カリウム、ナトリウム、シリカ等のミネラル成分のみを添加するだけで、水道水を安全で美味しい水とすることができるようになる。
【０１６０】
（５）貯留時の処理モード
次に、貯留時の処理モードについて説明する。ユーザーによりＳＷＴ５が選択されると、貯留タンク８に貯留された被処理水中の有機物の除去処理が実行される。
【０１６１】
当該処理モードでは、先ず、制御手段により配管４０の電磁弁Ｖ１、バイパス回路Ａの電磁弁Ｖ５、バイパス回路Ｂの電磁弁Ｖ６、及び、配管４２の電磁弁Ｖ３が全閉されると共に、配管４１の電磁弁Ｖ２及びバイパス回路Ｄの電磁弁Ｖ４が開放される。また、循環回路Ｃに設けられたポンプＰ１の運転が開始される。これにより、図７の白抜き矢印の如く、循環回路ＣのポンプＰ１により貯留タンク８内から循環回路Ｃに汲み上げられて、有機物除去処理手段３の入口側の配管４１に吐出された被処理水は、有機物除去処理手段３を通過した後、ミネラル添加処理手段７をバイパスして、再び、貯留タンク８内に戻るサイクルを繰り返すこととなる。
【０１６２】
即ち、制御手段により有機物除去処理手段３の運転が開始されると、貯留タンク８内に一旦貯えられた水（被処理水）は、ポンプＰ１の運転により循環回路Ｃに汲み上げられる。そして、被処理水は当該循環回路Ｃ、配管４１を経て、有機物除去処理手段３を通過し、この過程で細菌などの有機物が除去される。これにより、被処理水中に発生した有機物（細菌）を除去して、再び、飲用可能な安全な水とすることができる。
【０１６３】
そして、有機物除去処理手段３にて除菌処理された被処理水は、バイパス回路Ｄを経て、再び、貯留タンク８に貯留される。
【０１６４】
このように、本処理モードにより貯蔵タンク８内の被処理水を循環回路Ｃに流して、有機物除去処理手段３により当該被処理水を除菌処理することで、貯留タンク８内に長期間貯留されることで、発生した細菌等の有機物を除去して、再び、飲用可能な水として、貯留することができる。
【０１６５】
以上のように、本実施例の水供給装置Ｓａにおいても、前記実施例同様に使用状況や被処理水の種類に応じて、被処理水に対して行う処理機能を選択し、最適な処理を行うことができ、同様の効果を得ることができる。
【実施例３】
【０１６６】
尚、上記各実施例１、２の水分回収手段１は、水分を吸着し、且つ、放出可能な吸湿剤（水分吸着素子）１０を備えた回転式除湿装置を用いることより空気中の水分を回収するものとしたが、水分回収手段１は上記構成に限定されるものではなく、例えば、圧縮機、放熱器、減圧装置及び蒸発器から成る冷凍サイクルの蒸発器より構成し、当該蒸発器に水分回収手段１の外部の空気から空気を送風して、係る蒸発器おける冷媒の吸熱作用により、空気中の水分を凝縮させて、回収するものとしても構わない。
【０１６７】
図８は、冷凍サイクル３０の蒸発器３６から構成される所謂冷凍サイクル式除湿装置から成る水回収手段１を備えた水供給装置Ｔの内部構成図である。尚、図８において上記各図１乃至図７と同一の符号が付されたものは同様の機能、又は、効果を奏するものであり、説明を省略する。本実施例の水供給装置Ｔは外部の空気を吸い込み、後述する熱交換器の蒸発器３６を通過させた後、外部に吐出可能な図示しない空気（外気）の流出入口を有する略直方体状の箱体５０内に収納されている。
【０１６８】
冷凍サイクル３０は、圧縮機３１、前述した熱交換器及び膨張弁３５等から成るものである。本実施例の熱交換器は、冷媒を放熱するための放熱器（凝縮器）３３と、冷媒を吸熱するための蒸発器３６とから構成されている。具体的に、圧縮機３１から出た配管は貯水タンク４０内を経て、放熱器３３の入口に接続される。放熱器３３は、運転状況などに応じて空冷及び水冷を切換可能な熱交換器である。具体的に当該空冷及び水冷の切換は、運転初期など水分回収手段１にて多量の水が回収できるような条件下では、放熱器３３を水冷に切り換えて使用することができる。放熱器３３には、冷却水が流れる後述する冷却水循環経路６０が放熱器３３を流れる冷媒と熱交換可能に配置されている。
【０１６９】
上述した冷却水循環経路６０は、放熱器３３に冷却水を流して当該放熱器３３内を流れる冷媒を水冷するためのものであり、冷却水タンク６１及び循環ポンプ６３から構成されている。即ち、冷却水タンク６１の出口に接続された配管６２が上記放熱器３３を交熱的に配置された後、循環ポンプ６３の入口に接続され、循環ポンプ６３の出口に接続された配管６４が冷却水タンク６１の入口に接続されて、環状のサイクルを構成している。
【０１７０】
そして、循環ポンプ６３が運転されると、冷却水タンク６１内の冷却水が配管６２を経て循環ポンプ６３に吸い込まれる。そして、循環ポンプ６３に吸い込まれた冷却水は配管６４に吐出され、冷却水タンク６１内に戻るサイクルを繰り返す構成とされている。
【０１７１】
上記冷却水タンク６１には、後述する蒸発器３６表面にて凝縮し、ドレンパン３９に滴下した後、貯水タンク４０内に流入した水分を貯溜可能に構成されている。また、配管６４の途中部には、当該冷却水循環経路６０内を循環する冷却水を外部に排出し、又は、冷却水循環経路６０内に水を供給するための配管６５が接続される。更に、冷却水タンク６１には、当該タンク６１内に貯溜された冷却水を後述する貯溜タンク５２に供給できるように構成されている。
【０１７２】
一方、放熱器３３の出口側には受液器（或いは、レシーバタンク）３４を介して膨張弁３５が接続されている。膨張弁３５は放熱器３３にて放熱した冷媒を減圧するための減圧装置であり、当該膨張弁３５を出た配管は熱交換器の蒸発器３６の入口に接続される。本実施例の熱交換器は、上述したように前記放熱器３３と蒸発器３６にて構成され、これら熱交換器の近傍には送風手段としての送風機３０Ｆが設けられている。送風機３０Ｆは、図８に太線矢印で示す如く容器５０外部の空気を蒸発器３６、放熱器３３に順次通過させた後、容器５０の外部に排出可能に配設されている。
【０１７３】
そして、蒸発器３６を出た配管は受液器（又は、レシーバタンク）３７を介して圧縮機３１の入口側に接続され、環状の冷凍サイクル３０を構成している。更に、冷凍サイクル３０には膨張弁３５を迂回して設けられたホットガス配管３８と当該配管３８への冷媒の流入を制御する電磁弁３８Ｖが設けられている。このホットガス配管３８は蒸発器３６に霜が付着した際に高温の冷媒を蒸発器３６に流して霜を溶かす除霜運転を実行するために設けられたものである。
【０１７４】
前述した蒸発器３６は、本発明の水分回収手段１を構成するものである。この実施例の水分回収手段１は、当該蒸発器３６と、蒸発器３６直下に設けられたドレンパン３９及び貯水タンク４０を備える。ドレンパン３９は、蒸発器３６表面に付着し、やがて水滴となって滴下する水滴を受容するための受け皿である。当該ドレンパン３９には上下方向に貫通する小孔が形成され、蒸発器３６からドレンパン３９上に滴下した水滴（蒸発器３６に付着した霜が溶けて水となったものも含む）は、この小孔から貯水タンク４０内に流入するよう構成されている。
【０１７５】
貯水タンク４０は上記蒸発器３６にて空気中から回収されたドレンパン３９からの水分を一時的に貯溜するためのタンクであり、この貯水タンク４０には当該貯水タンク４０内に貯えられた水の水位を検出し、所定の水位に達したことを知らせるためのフロートスイッチ４１が取り付けられている。
【０１７６】
また、貯水タンク４０内の上記ドレンパン３９の下側には、前記冷凍サイクル３０の圧縮機３１の出口側に接続され、放熱器３３の入口に至る配管が配設されており、当該貯水タンク４０内に溜まった水を加熱可能に構成されている。このように、圧縮機３１の出口側に接続された配管を貯水タンク４０内に配設することで、圧縮機３１にて圧縮された高温冷媒を当該貯水タンク４０を通過させて、タンク４０内に溜まった水を加熱することができる。これにより、圧縮機３１から出た一番熱い冷媒の熱を利用して貯水タンク４０内の水を加熱し、殺菌することができる。
【０１７７】
そして、貯水タンク４０には当該貯水タンク４０内に貯まった水を取り出すための配管４２の一端が接続されている。この配管４２は、二股に分岐し、分岐した一方の配管４３は、前記冷却水タンク６１に接続され、他方の配管４４は除去手段５の前述した貯溜タンク５２に接続され、貯水タンク４０の水を冷却水タンク６１に流すか貯溜タンク５２に流すかを選択的に切換可能とされている。当該貯水タンク４０から貯溜タンク５２に供給される水は被処理水とされ、貯水タンク４０から冷却水タンク６１に供給される水は放熱器３３の冷却水として使用される。
【０１７８】
上記除去手段５は、被処理水中に含有される無機物と有機物とを同時に除去処理することが可能なＣＦ電解処理装置（ＣＦモジュール）５３を備える。即ち、本実施例の除去手段５は、無機物除去処理手段と有機物除去処理手段とが一体に構成された備えたものであり、貯溜タンク５２とＣＦ電解処理装置５３と、貯溜タンク５２とＣＦ電解処理装置５３とを連通するパイプ５５とから構成されている。ＣＦ電解処理装置５３は前記実施例で詳述したように水槽内に炭素繊維から成る電極を備えてなる装置であり、当該電極に電位を印加することで、被処理水中の無機物や細菌（有機物）等を電極に積極的に吸着させるものである。
【０１７９】
更に、除去手段５の貯溜タンク５２には、当該貯溜タンク５２に貯えられた被処理水を取り出すための取出口（図示せず）が形成され、この取出口に一端が接続された配管は、ミネラル添加処理手段７にて開口している。尚、当該ミネラル添加処理手段７は、前記各実施例と同様であるため本実施例では詳細な説明は省略する。
【０１８０】
以上の構成で次に本実施例の水供給装置Ｔの動作について説明する。尚、通常の運転時には、前記ホットガス配管３８の電磁弁３８Ｖは全閉されているものとする。水供給装置Ｔの運転が開始されると、冷凍サイクル３０の圧縮機３１及び送風機３０Ｆが起動する。これにより、冷媒は圧縮機３０にて圧縮されて高温高圧の冷媒ガスとなり、圧縮機３０から吐出され、前記貯水タンク４０内を通過した後、放熱器３３に流入する。放熱器３３において、冷媒は蒸発器３６を通過した後の冷風、又は、冷却水、或いは冷風及び冷却水と熱交換して放熱した後、受液器３４を経て膨張弁３５に至る。そして、当該膨張弁３５にて減圧された冷媒は、蒸発器３６に流入し、前記送風機３０Ｆにより送風される外部の空気から吸熱して蒸発する。
【０１８１】
その後、蒸発器３６を出た冷媒は受液器３７を経て圧縮機３１に吸い込まれるサイクルを繰り返す。一方、送風機３０Ｆにより、箱体５０内に吸い込まれた空気は、蒸発器３６にて冷媒と熱交換して冷却される。これにより、空気中に含まれる水分が凝縮し、蒸発器３６の表面に水滴、或いは、霜となって付着する。即ち、空気中に多量の水分が含まれている場合、又は、蒸発器３６における冷媒の吸熱能力が低い場合には、蒸発器３６における冷却により蒸発器３６に水分として付着しやすく、当該蒸発器３６表面に水滴となって付着した水分は、やがて成長して重力によりドレンパン３９上に滴下した後、貯水タンク４０内に貯えられる。
【０１８２】
他方、空気中に含まれる水分量が少ない場合、或いは、蒸発器３６における冷媒の吸熱能力が高い場合には、蒸発器３６に着霜として成長し易い。このように蒸発器３６に霜が成長すると、除霜運転が行われる。除霜運転時には前記送風機３０Ｆの運転が停止されると共に、ホットガス配管３８の電磁弁３８Ｖが開放される。これにより、圧縮機３１にて圧縮された冷媒は高温高圧の状態のまま蒸発器３６に流入する。これにより、蒸発器３６に付着した霜が徐々に融解し、水滴となってドレンパン３９上に滴下した後、貯水タンク４０内に貯えられる。
【０１８３】
そして、蒸発器３６の着霜が完全に除去されると、送風機３０Ｆの運転が再開されると共に、電磁弁３８Ｖが全閉され、通常の運転に戻る。
【０１８４】
上述した運転が連続的に実行されることで、貯水タンク４０内に徐々に水分が貯えられていく、この貯水タンク４０には、前述の如く圧縮機３１の出口側に接続され、放熱器３３の入口に至る配管が配設されているため、タンク４０内に溜まった水は当該配管を通過する冷媒の熱により加熱殺菌される。
【０１８５】
一方、貯水タンク４０内に所定量の水が溜まると（係る水量の検出は前記フロースイッチ４１にて行われる）、当該貯水タンク４０内の水が冷却水タンク６１、或いは、除去手段５の貯溜タンク５２に送出される。そして、冷却水タンク６１内に送られた水は前述の放熱器３３の冷却水として使用される。貯溜タンク５２に流入した水（被処理水）はパイプ５５を通ってＣＦ電解処理装置５３に入り、前記実施例で詳述したように無機物及び有機物が除去処理され、貯溜タンク５２内に戻り、当該貯溜タンク５２内に貯えられる。
【０１８６】
そして、貯溜タンク５２内に貯えられた被処理水は、必要に応じて当該貯溜タンク５２の取出口から取り出され、前記実施例の如くミネラル添加処理手段７にてミネラル添加されて、美味しい水に調整される。
【０１８７】
このように、本実施例の水供給装置Ｔを用いることで、前記実施例同様に空気中から水分を回収し、除去手段５により無機物及び有機物を除去して飲用可能な水を造ることができるようになる。
【０１８８】
特に、本実施例の水供給装置Ｔは、前記各実施例の水供給装置に比べて大型であり、多量の水を処理することが可能である。また、当該水供給装置Ｔを夜間電力を使用して運転するものとすれば、使用コストの低減を図ることも可能である。
【０１８９】
また、貯溜タンク５２内に所定の満水位以上の水が溜まった場合、外部に排水することができるオーバーフロー口５７を形成すれば、電解処理装置５３を連続運転して、常に水を作り続けることができる。そして、貯溜タンク５２内から溢れる水は、当該オーバーフロー口５７から排出することができる。これにより、常に新鮮な水を貯溜タンク５２内に貯めることができるようになる。
【０１９０】
尚、本実施例の除去手段５は、５３をＣＦ電解処理装置として当該ＣＦ電解処理装置５３にて被処理水中に含有される無機物及び有機物が除去処理されるものとしたが、これに限らず、貯溜タンク５２内にて無機物及び有機物が除去処理される構成であっても差し支えない。
【０１９１】
更に、上記実施例の蒸発器３６の下側に位置し、蒸発器３６表面からの水滴を受けるドレンパン３９に、例えば、電解析出モジュールを取り付けるものとすれば、当該ドレンパン３９における細菌の繁殖やスケールの析出する不都合を未然に防ぐことが可能となる。
【実施例４】
【０１９２】
次に、図９を用いて本発明のもう一つの他の実施例の水供給装置Ｕについて説明する。図９はこの実施例の水供給装置Ｕの内部構成図である。尚、本実施例において上記各実施例と同一の符号が付されたものは同様の機能、又は、効果を奏するものであるため説明を省略する。本実施例の水供給装置Ｕは、ポンプ１６０により地下から汲み上げられた水（地下水）を被処理水として、当該地下水を処理する装置である。
【０１９３】
当該水供給装置Ｕは、上記地下水を導入するための開口を有する略直方体状の箱体１００内に収容されたものであり、氷生成手段９５、処理手段５及びミネラル添加処理手段７から成る。上記氷生成手段９５は、水を凍結させた後、生成された氷を融解するためのものである。本実施例では当該氷生成手段９５にて地下水を凍結させて、生成された氷を融解して得られた水を被処理水として後段の除去手段５（無機物除去処理手段及び有機物除去処理手段）にて処理するものとする。
【０１９４】
即ち、氷生成手段９５は、地下水を除去手段５にて処理する前に当該地下水に含まれる塵埃やスケールなどの不純物をある程度取り除くためにもうけられたものであり、これを被処理水として除去手段５にて処理することで、除去手段５における円滑な除去処理が可能となる。
【０１９５】
当該氷生成手段９５は、水（地下から汲み上げられた地下水）を貯える水タンク７０と、この水タンク７０内に貯えられた水中に浸漬された冷凍サイクル３０の蒸発器３６等から構成される。冷凍サイクル３０は上記実施例２に記載の冷凍サイクルと類似しているため、本実施例では上記実施例３と異なる構成のみ説明して、類似、或いは同様な構成については説明を省略する。
【０１９６】
即ち、上記実施例２では、放熱器３３は、水冷及び空冷を切換可能に構成された熱交換器とし、係る空冷では、蒸発器３６にて冷却された空気により冷媒を冷却するものとしたが、本実施例の放熱器３３は空冷方式の熱交換器であり、送風機３３Ｆが運転されると、箱体１００の外部から直接放熱器３３に空気が送風されて、当該放熱器３３を通過した後、箱体１００の外部に吐出されるよう構成されている。また、蒸発器３６は水タンク７０内に設けられ、当該水タンク７０に貯溜された水から吸熱する水冷式の熱交換器である。更に、本実施例の圧縮機３１の出口側に接続された配管は放熱器３３の入口に接続されている。
【０１９７】
水タンク７０の下部には当該水タンク７０内の水を排水するための排水口７２と被処理水を後述する貯水タンク８０に流すための取出口７３が形成され、各排水口７２及び取出口７３はそれぞれ図示しない弁にて開閉可能に閉塞されている。更に、水タンク７０には、貯水タンク８０内に貯溜された被処理水を当該水タンク７０内に戻すための取入口７５も形成され、当該取入口７５には一端が貯水タンク８０内の被処理水中に浸漬された配管７７が挿入接続され、当該配管７７の他端が水タンク７０内にて開口している。また、配管７７の途中部には貯水タンク８０から被処理水を汲み上げて、水タンク７０内に戻すための再精製用のポンプ７８が配設されている。
【０１９８】
また、水タンク７０には、当該水タンク７０内に貯えられた水の水位を検出し、水タンク７０内に所定量の被処理水が貯えられると、ポンプ１６０、７８の運転を停止して、当該水タンク７０内への水の供給を停止する給水検出スイッチ９０と、水タンク７０内の被処理水が凍結したことを検出するための水位検出スイッチ９２を備える。本実施例の当該水位検出スイッチ９２は、水タンク７０内の給水検出スイッチ９０より僅かに上方に設置された接触式のスイッチであり、前記給水検出スイッチ９０にて水タンク７０内に所定量の被処理水が貯えられ、且つ、当該水タンク７０内に貯留された被処理水が凍結する以前は、水タンク７０内の水面は当該水位検出スイッチ９２に接触しない（ＯＦＦの状態）。
【０１９９】
そして、水タンク７０内の水が凍結すると氷の表面が当該水位検出スイッチ９２に接触してＯＮされるよう構成されている。即ち、当該水位検出スイッチ９２は水の状態変化に伴う体積変化により、ＯＮ／ＯＦＦ可能に構成されている。
【０２００】
尚、後述する動作説明で詳述するが、上記水位検出しスイッチ９２がＯＮされると、冷凍サイクル３０の除霜運転が実行されると共に、前記排水口７２の弁も開放されることとなる。
【０２０１】
一方、前述した貯水タンク８０は、前記氷生成手段９５にて少なくとも１回以上精製処理された水（被処理水）を貯えるためのタンクであり、貯水タンク８０には前記配管７７が接続され、一端が当該貯水タンク８０内に貯えられた被処理水内で開口している。また、貯水タンク８０には配管８２が接続され、当該配管８２には貯水タンク８０内の被処理水を除去手段５に流すためのポンプ８４が設けられている。尚、除去手段５の構成については前記実施例２のＣＦ電解処理装置を用いるものとし、ここでは説明を省略する。
【０２０２】
以上の構成で本実施例の水供給装置Ｕの動作を説明する。尚、通常の運転時には、前記実施例同様にホットガス配管３８の電磁弁３８Ｖは全閉されているものとする。また、運転開始時には排水口７２及び取出口７３の各弁は共に閉じられているものとする。水供給装置Ｕの運転が開始されると、先ず、ポンプ１６０が運転され、水（地下水）が汲み上げられて、水タンク７０内に供給される。そして、前述した給水水位スイッチ９０が所定の満水位を検出すると、ポンプ１６０の運転が停止され、水タンク７０への給水が停止する。
【０２０３】
次に、冷凍サイクル３０の圧縮機３１及び送風機３３Ｆが起動する。これにより、冷媒は圧縮機３０にて圧縮されて高温高圧の冷媒ガスとなり、圧縮機３０から吐出されて、放熱器３３に流入する。当該放熱器３３にて冷媒は前記送風機３３Ｆにより送風された空気と熱交換して放熱した後、受液器３４を経て膨張弁３５に至る。当該膨張弁３５にて減圧された冷媒は、蒸発器３６に流入する。そして、蒸発器３６に流入した冷媒は水タンク７０内の水から吸熱して蒸発する。
【０２０４】
その後、蒸発器３６を出た冷媒は受液器３７を経て圧縮機３１に吸い込まれるサイクルを繰り返す。このようなサイクルを繰り返すと、水タンク７０内の水は冷却され、凍結温度（約±０℃）に達すると、徐々に凍結する。このとき、水タンク７０内の水は蒸発器３６の周りから徐々に周囲に広がって行くように緩慢に凍結して行く。このとき、蒸発器３６から最も離れた位置となる水タンク７０の側面、即ち、氷の表面が最後に凍ることとなる。このように水を緩慢に凍結させることで、氷の中心部付近の不純物濃度は最も低くなり、周囲に行くほど不純物濃度が高くなって、氷の表面の不純物濃度は最も高くなる。
【０２０５】
一方、当該水タンク７０内の水の凍結により、氷の表面が前記水位検出スイッチ９２に接触する（ＯＮ）。これにより、蒸発器３６の除霜運転が開始される。除霜運転時には前記送風機３３Ｆの運転が停止されると共に、ホットガス配管３８の電磁弁３８Ｖが開放される。更に、水タンク７０の下部に設けられた排出口７２の弁が開放される。
【０２０６】
これにより、圧縮機３１にて圧縮された冷媒は高温高圧の状態のまま蒸発器３６に流入する。係る高温冷媒により、水タンク７０内の氷は表面から徐々に溶け始めて、排水口７２から外部に排出されていく。このとき、溶け始めの水は不純物が多量に溶け込んだ不純物濃度の最も高い凍り表面の水であるため、これを排水口７２から外部に排出することで、水の不純物濃度を低下することができる。
【０２０７】
そして、除霜運転を開始してから、例えば、予め設定された所定時間経過すると、排水口７２の弁が閉じられて、当該排水口７２からの水の排出が停止する。同時に、取出口７３の弁が開放される。これにより、融解した水は貯溜タンク８０内に貯えられていく。このように、氷の表面の最も不純物濃度の高い水を排水口７２から外部に排出することで、貯溜タンク８０内に不純物濃度の低下した水を溜めることができる。
【０２０８】
その後、除霜運転が終了すると、取出口７３の弁が閉じられて、ポンプ１６０が運転されて、地下水が水タンク７０に供給され、上述した運転を繰り返す。
【０２０９】
一方、ポンプ８４の運転が開始されると、貯溜タンク８０内に貯えられた上記水（被処理水）が配管８２からポンプ８４に吸い込まれ、処理手段５内に吐出される。そして、当該処理手段５内にて前記各実施例で詳述したように無機物及び有機物が除去処理される。そして、貯溜タンク８０内に貯えられた被処理水は、必要に応じて当該貯溜タンク８０の取出口から取り出され、ミネラル添加処理手段７にてミネラル添加されて、美味しい水に調整される。
【０２１０】
他方、氷生成手段９５にて処理されたにも拘わらず、貯溜タンク８０内に貯えられた被処理水中の不純物濃度が未だ高い場合には、当該貯溜タンク８０内の被処理水を再び氷生成手段９５に戻して、再度氷を生成した後、融解して不純物濃度の高い水を排水口７２から排出すれば、貯溜タンク８０内に貯えられる不純物濃度を更に低下して、除去手段５において、より円滑な除去処理を行うことが可能となる。
【０２１１】
尚、上記各実施例の水供給装置は無機物及び有機物が除去された被処理水を飲用用途に使用するものとしたが、これに限らず、本発明の水供給装置にて排水を処理するものとしても構わない。
【図面の簡単な説明】
【０２１２】
【図１】本発明の一実施例の水供給装置の概略構成図である（実施例１）。
【図２】本発明の一実施例の水供給装置の模式図である。
【図３】図１のミネラル添加処理手段の説明図である。
【図４】本実施例の各処理モードにおける被処理水の流れを示すフローチャートである。
【図５】ミネラル添加処理手段によるミネラル分の添加制御動作を示す図である。
【図６】本発明の他の実施例の水供給装置の概略構成図である（実施例２）。
【図７】本実施例の各処理モードにおける被処理水の流れを示すフローチャートである。
【図８】本発明のもう１つの他の実施例の水供給装置の内部構成図である（実施例３）。
【図９】本発明の更にもう１つの他の実施例の水供給装置の内部構成図である（実施例４）。
【図１０】本実施例の水供給装置の制御手段のメモリに書き込まれたミネラル水のミネラル成分比率に関するデータと導電率を示す図である。
【符号の説明】
【０２１３】
Ｓ、Ｓａ、Ｔ、Ｕ  水供給装置
Ｘ    本体
ＳＷＭ１、ＳＷＭ２、ＳＷＭ３、ＳＷＭ４  選択スイッチ
ＳＷＴ１、ＳＷＴ２、ＳＷＴ３、ＳＷＴ４、ＳＷＴ５  処理機能選択スイッチ
１    水分回収手段
２    無機物除去処理手段
３    有機物除去処理手段
７    ミネラル添加処理手段
８    貯留タンク（貯留手段）
９Ａ、９Ｂ    取出口
１０  吸湿剤
１１、３０  水タンク
【図１】
2008086989.tif 000003
【図２】
2008086989.tif 000004
【図３】
2008086989.tif 000005
【図４】
2008086989.tif 000006
【図５】
2008086989.tif 000007
【図６】
2008086989.tif 000008
【図７】
2008086989.tif 000009
【図８】
2008086989.tif 000010
【図９】
2008086989.tif 000011
【図１０】
2008086989.tif 000012